(57)【特許請求の範囲】
【請求項１】
転倒防止ユニット（1）であって、前記転倒防止ユニット（1）は転倒防止具（２）、および載置部（２１）から成り、前記載置部（２１）は、転倒防止アイテム（Ｓ）を載置する為の台または板または可撓性シート（１０）であり、前記転倒防止アイテム（Ｓ）は、転倒させたくない物品であり、
前記転倒防止具（２）は、棒状または板状の板棒材（１１）が、回動可能構造を備え、前記回動可能構造は載置部（２１）と係止され、前記板棒材（１１）は、転倒防止アイテム（Ｓ）と突き当て可能である突き当て部（３１）を備えるか、または転倒防止アイテム（Ｓ）と着脱可能に係止可能な物品係止部（１５）を備え、
前記載置部（２１）は、前記転倒防止アイテム（Ｓ）を載置する台または板または可撓性シート（１０）であり、前記突き当て部（３１）が、前記転倒防止アイテム（Ｓ）に突き当てられることによって、前記転倒防止アイテム（Ｓ）の転倒を抑止可能であり、
前記載置部（２１）がアイテム底下係止部（２４）を備え、
前記アイテム底下係止部（２４）は、前記転倒防止アイテム（Ｓ）を、前記アイテム底下係止部（２４）の上に載置可能に、前記載置部（２１）に設けられた係止部であり、
前記アイテム底下係止部（２４）は、前記板棒材（１１）または前記板棒材に備えられた部材に設けられた、可撓性シート（１０）または帯紐材（２０）と係止して用いられることを特徴とした転倒防止ユニット（1）。
【請求項２】
転倒防止ユニット（1）であって、前記転倒防止ユニット（1）は転倒防止具（２）、および載置部（２１）から成り、前記載置部（２１）は、転倒防止アイテム（Ｓ）を載置する為の台または板または可撓性シート（１０）であり、前記転倒防止アイテム（Ｓ）は、転倒させたくない物品であり、
前記転倒防止具（２）は、棒状または板状の板棒材（１１）が、回動可能構造を備え、前記回動可能構造は載置部（２１）と係止され、前記板棒材（１１）は、転倒防止アイテム（Ｓ）と突き当て可能である突き当て部（３１）を備えるか、または転倒防止アイテム（Ｓ）と着脱可能に係止可能な物品係止部（１５）を備え、
前記載置部（２１）は、前記転倒防止アイテム（Ｓ）を載置する台または板または可撓性シート（１０）であり、前記突き当て部（３１）が、前記転倒防止アイテム（Ｓ）に突き当てられることによって、前記転倒防止アイテム（Ｓ）の転倒を抑止可能であり、
前記板棒材（１１）または前記板棒材に備えられた部材に、可撓性シート（１０）または帯紐材（２０）を備え、前記可撓性シート（１０）または帯紐材（２０）は荷下板（３６）に係止して用いられ、前記荷下板（３６）が、転倒防止アイテム（Ｓ）の下または間に挟んで設けられる、前記可撓性シート（１０）または帯紐材（２０）と係止可能な略板状材であることを特徴とした転倒防止ユニット（1）。
【請求項３】
転倒防止ユニット（1）であって、前記転倒防止ユニット（1）は転倒防止具（２）、および載置部（２１）から成り、前記載置部（２１）は、転倒防止アイテム（Ｓ）を載置する為の台または板または可撓性シート（１０）であり、前記転倒防止アイテム（Ｓ）は、転倒させたくない物品であり、
前記転倒防止具（２）は、棒状または板状の板棒材（１１）が、回動可能構造を備え、前記回動可能構造は載置部（２１）と係止され、前記板棒材（１１）は、転倒防止アイテム（Ｓ）と突き当て可能である突き当て部（３１）を備えるか、または転倒防止アイテム（Ｓ）と着脱可能に係止可能な物品係止部（１５）を備え、
前記載置部（２１）は、前記転倒防止アイテム（Ｓ）を載置する台または板または可撓性シート（１０）であり、前記突き当て部（３１）が、前記転倒防止アイテム（Ｓ）に突き当てられることによって、前記転倒防止アイテム（Ｓ）の転倒を抑止可能であり、
前記載置部（２１）が可撓性シート（１０）であり、前記載置部（２１）が、
自己吸着シートあるいはマグネットシートあるいは面ファスナー等の面で着脱可能に係止可能な面係止具、または載置部（２１）に設けられた穴あるいは帯紐材２０あるいはホックあるいは磁石であるシート係止部を備え、
前記載置部（２１）が、前記面係止具あるいはシート係止部によって、前記載置部（２１）が、載置される台や支柱と係止可能であることを特徴とする転倒防止ユニット（1）。
【請求項４】
転倒防止ユニット（1）であって、前記転倒防止ユニット（1）は転倒防止具（２）、および載置部（２１）から成り、前記載置部（２１）は、転倒防止アイテム（Ｓ）を載置する為の台または板または可撓性シート（１０）であり、前記転倒防止アイテム（Ｓ）は、転倒させたくない物品であり、
前記転倒防止具（２）は、棒状または板状の板棒材（１１）が、回動可能構造を備え、前記回動可能構造は載置部（２１）と係止され、前記板棒材（１１）は、転倒防止アイテム（Ｓ）と突き当て可能である突き当て部（３１）を備えるか、または転倒防止アイテム（Ｓ）と着脱可能に係止可能な物品係止部（１５）を備え、
前記載置部（２１）は、前記転倒防止アイテム（Ｓ）を載置する台または板または可撓性シート（１０）であり、前記突き当て部（３１）が、前記転倒防止アイテム（Ｓ）に突き当てられることによって、前記転倒防止アイテム（Ｓ）の転倒を抑止可能であり、
前記載置部（２１）に、水を溜めることが可能であることを特徴とする転倒防止ユニット（1）。
【請求項５】
前記載置部（２１）が、可撓性シートであることを特徴とする請求項４に記載の転倒防止ユニット（1）。
【請求項６】
転倒防止ユニット（1）であって、前記転倒防止ユニット（1）は転倒防止具（２）、および載置部（２１）から成り、前記載置部（２１）は、転倒防止アイテム（Ｓ）を載置する為の台または板または可撓性シート（１０）であり、前記転倒防止アイテム（Ｓ）は、転倒させたくない物品であり、
前記転倒防止具（２）は、棒状または板状の板棒材（１１）が、回動可能構造を備え、前記回動可能構造は載置部（２１）と係止され、前記板棒材（１１）は、転倒防止アイテム（Ｓ）と突き当て可能である突き当て部（３１）を備えるか、または転倒防止アイテム（Ｓ）と着脱可能に係止可能な物品係止部（１５）を備え、
前記載置部（２１）は、前記転倒防止アイテム（Ｓ）を載置する可撓性シート（１０）であり、前記突き当て部（３１）が、前記転倒防止アイテム（Ｓ）に突き当てられることによって、前記転倒防止アイテム（Ｓ）の転倒を抑止可能であり、
前記可撓性シートからなる載置部（２１）が、複数の可撓性シートから構成され、
複数のそれぞれの可撓性シートは、転倒防止具（２）を備え、
前記載置部（２１）が他の載置部（２１）と係止可能な係止部を備え、該係止部によって前記載置部（２１）の長さを調整可能に係止することによって、複数の板棒材（１１）同士の距離を調整可能であることを特徴とする転倒防止ユニット（1）。
【請求項７】
転倒防止ユニット（1）であって、前記転倒防止ユニット（1）は転倒防止具（２）、および載置部（２１）から成り、前記載置部（２１）は、転倒防止アイテム（Ｓ）を載置する為の台または板または可撓性シート（１０）であり、前記転倒防止アイテム（Ｓ）は、転倒させたくない物品であり、
前記転倒防止具（２）は、棒状または板状の板棒材（１１）が、回動可能構造を備え、前記回動可能構造は載置部（２１）と係止され、前記板棒材（１１）は、転倒防止アイテム（Ｓ）と突き当て可能である突き当て部（３１）を備えるか、または転倒防止アイテム（Ｓ）と着脱可能に係止可能な物品係止部（１５）を備え、
前記載置部（２１）は、前記転倒防止アイテム（Ｓ）を載置する台または板または可撓性シート（１０）であり、前記突き当て部（３１）が、前記転倒防止アイテム（Ｓ）に突き当てられることによって、前記転倒防止アイテム（Ｓ）の転倒を抑止可能であり、
前記載置部（２１）は車輪を備えて移動可能であり、且つ、前記板棒材（１１）または橋架材（１７）が、車輪（１９）を備え、前記板棒材が前記載置部（２１）と反対方向に開いた際に、前記板棒材（１１）または橋架材（１７）に設けられた車輪（１９）が地面に接地可能であり、前記橋架材は、複数の板棒材（１１）を橋架して設けられた部材であることを特徴とする転倒防止ユニット（1）。
【請求項８】
前記転倒防止ユニット（1）が、台車であることを特徴とする請求項１から請求項７のいずれかに記載の転倒防止ユニット（1）。
【発明の詳細な説明】
【技術分野】
【０００１】
本発明は、様々な物品の転倒を防止可能とする自由度の高い転倒防止部材に関する。
【背景技術】
【０００２】
従来から物品の収納と運搬の転倒防止には、多種多様な転倒防止具が提案されている。
係る転倒防止具は壁等に互いを係止するものや、壁等の間を突っ張ったり、粘着、吸着であったり、出っ張った足を係止するものから、様々である。
しかしながら、様々な形状、デザインの物品の転倒防止に対応可能で、手軽で、自由度の高い転倒防止具は皆無といえる。
【０００３】
また、運搬における物品の転倒防止と保持の、手軽で自由度の高い転倒防止具が求められているといえる。
【０００４】
そこで、従来からも種々の技術が提案されている。例えば、特許文献１には、発明の名称を「転倒防止装置」とする技術が開示され、公知技術となっている（特許文献１参照）。具体的には「転倒防止装置１ は、家具Ｆ が傾くことにより天井Ｃ と家具Ｆ との位置関係が変化することによって、第一移動部材２ ２ の一部が第一シリンダ２ １ 内を移動する第一移動機構２ ０ と、第二液体室３ ０ Ａ の容積を小さくする方向に第二移動部材３ ２ を移動させる力を付与する付勢部材３ ３ を有する第二移動機構３ ０ と、第一液体室２ ０ Ａ から第二液体室３ ０ Ａ への作動流体の流れに抵抗を付与する減衰力発生部５ ０ と、を備えている。転倒防止装置１ は、第二移動部材３ ２ が付勢部材３ ３ からの力の付与によって移動し、第二液体室３ ０ Ａ に充填された作動流体が第一液体室２ ０ Ａ に流入することで、第一移動機構２ ０ が伸長する。」というものである。しかしながら、特許文献１に記載の発明は、主に家具と天井等との間で作用するものであり、転倒防止の自由度においても、前記問題の解決には至っていない。
【０００５】
また、特許文献２には、発明の名称を「転倒防止具」とする技術が開示され、公知技術となっている（特許文献２参照）。具体的には「什器の底面と什器が置かれる載置面との間に挿入されて地震時に什器の転倒を防止する転倒防止具であって、前記載置面に立設される立設部材とその上部近傍から後方へ載置面に向けて傾斜する傾斜部材を備え、前記傾斜部材が載置面との間に空間を有し前記立設部材又は前記傾斜部材の前記載置面に接する部分が第１滑り止め部を有している。」というものである。しかしながら、特許文献２に記載の発明は、転倒防止の自由度においても、前記問題の解決には至っていない。
【先行技術文献】
【特許文献】
【０００６】
【特許文献１】特許６４８７５９３
【特許文献２】特開２０１９−１３６０６４号
【発明の概要】
【発明が解決しようとする課題】
【０００７】
あらゆるデザインアレンジによる、雑貨等の小物や物品、荷物の転倒保持か可能である転倒防止具を提供する。
【課題を解決するための手段】
【０００８】
本発明は、転倒防止具（２）であって、棒状または板状の板棒材（１１）が、回動可能構造を備え、前記回動可能構造は載置部（２１）と係止可能な台係止部（１３）を備え、前記板棒材（１１）は、転倒防止アイテム（Ｓ）または地面と突き当て可能である突き当て部（３１）を備えるか、または転倒防止アイテム（Ｓ）と着脱可能に係止可能な物品係止部（１５）を備え、前記転倒防止アイテム（Ｓ）は、転倒させたくない物品であり、前記載置部（２１）は、前記転倒防止アイテム（Ｓ）を載置する台または板または可撓性シート（１０）であり、前記突き当て部（３１）は、前記転倒防止アイテム（Ｓ）に突き当てられることによって、前記転倒防止アイテム（Ｓ）の転倒を抑止可能である構成を採用する。
【０００９】
また、本発明は、転倒防止具（２）であって、棒状または板状の板棒材（１１）が、回動可能構造を備え、前記回動可能構造は載置部（２１）と係止可能な台係止部（１３）を備え、前記板棒材（１１）は、前記回動可能構造と略反対側に、転倒防止アイテム（Ｓ）と係止可能である物品係止部（１５）を備え、前記転倒防止アイテム（Ｓ）は、転倒させたくない物品である構成を採用することもできる。  
【００１０】
また、本発明は、前記物品係止部（１５）または突き当て部（３１）が、帯紐係止具（２３）であるか、または吸盤、または自己吸着シート、またはマグネット、またはマグネットシート、または面ファスナー、または回動可能な回動手首（２９）であり、様々な形状の転倒防止アイテム（Ｓ）に対応可能である構成を採用することもできる。  
【００１１】
また、本発明は、前記突き当て部（３１）が、凹形状を備えている構成を採用することもできる。  
【００１２】
また、本発明は、前記板棒材（１１）が、帯紐材（２０）または帯紐係止具（２３）を備えた構成を採用することもできる。  
【００１３】
また、本発明は、前記板棒材（１１）が、鉢カバーの構成部材であり、前記板棒材（１１）が板状である構成を採用することもできる。  
【００１４】
また、本発明は、前記帯紐係止具（２３）が、鉢カバーであり、花器の、略上から下までを覆う構成を採用することもできる。  
【００１５】
また、本発明は、前記板棒材（１１）の長さが変更可能である構成を採用することもできる。  
【００１６】
また、本発明は、長さが変更可能である前記板棒材（１１）が、スライドをするか、回動することによって長さが変更可能である構成を採用することもできる。  
【００１７】
また、本発明は、前記板棒材（１１）が、回動手首（２９）を備え、前記回動手首（２９）は、手首回動部（３０）を備え、前記手首回動部（３０）は前記板棒材（１１）の短手方向の回動軸（２８）を備えているか、前記短手方向と略垂直方向の回動軸（２８）を備えているか、または前記短手方向の回動軸（２８）と略垂直方向の回動軸（２８）を備えている構成を採用することもできる。  
【００１８】
また、本発明は、前記回動手首（２９）の突き当て面（３２）が、前記手首回動部（３０）の回動軸（２８）を跨ぐ様にして設けられている構成を採用することもできる。  
【００１９】
また、本発明は、前記回動手首（２９）の突き当て面（３２）が、前記手首回動部（３０）の回動軸（２８）を跨ぐ跨ぎ量である、跨ぎ長さ（１６）を変更可能である構成を採用することもできる。  
【００２０】
また、本発明は、前記板棒材（１１）を、２本以上備えている構成を採用することもできる。  
【００２１】
また、本発明は、２本以上の前記板棒材（１１）が、略同じ回動軸（２８）の回動具（１２）に設けられ、前記２本以上の板棒材（１１）の長さが、２種類以上であるか、または長さの変更が可能である構成を採用することもできる。  
【００２２】
また、本発明は、２本以上の前記板棒材（１１）が、橋架材（１７）にて橋架され、まとめて回動可能である構成を採用することもできる。
【００２３】
また、本発明は、前記橋架材（１７）が、帯紐材（２０）であり、前記帯紐材（２０）で、転倒防止アイテム（Ｓ）を保持可能である構成を採用することもできる。  
【００２４】
また、本発明は、前記板棒材（１１）または２本以上の前記板棒材（１１）を橋架する橋架材（１７）が巻き取り具（１８）を備え、前記巻き取り具（１８）は、可撓性シート（１０）または帯紐材（２０）を巻き取り可能である構成を採用することもできる。  
【００２５】
また、本発明は、前記板棒材（１１）が、前記橋架材（１７）を介して、回動手首（２９）を備えた構成を採用することもできる。  
【００２６】
また、本発明は、前記回動手首（２９）が、橋架材を挟んで、２枚の板材を備えた構成を採用することもできる。  
【００２７】
また、本発明は、前記転倒防止具（２）において、前記板棒材（１１）の一端に手首回動部（３０）を備え、逆の一端に帯紐係止具（２３）を備えた構成を採用することもできる。  
【００２８】
また、本発明は転倒防止ユニット（1）であって、前記転倒防止ユニット（1）は転倒防止具（２）、および載置部（２１）から成り、前記載置部（２１）は、転倒防止アイテム（Ｓ）を載置する為の台または板または可撓性シート（１０）であり、前記転倒防止アイテム（Ｓ）は、転倒させたくない物品であり、
前記転倒防止具（２）は、
棒状または板状の板棒材（１１）が、回動可能構造を備え、前記回動可能構造は載置部（２１）と係止され、前記板棒材（１１）は、転倒防止アイテム（Ｓ）と突き当て可能である突き当て部（３１）を備えるか、または転倒防止アイテム（Ｓ）と着脱可能に係止可能な物品係止部（１５）を備え、
前記転倒防止アイテム（Ｓ）は、転倒させたくない物品であり、
前記載置部（２１）は、前記転倒防止アイテム（Ｓ）を載置する台または板または可撓性シート（１０）であり、前記突き当て部（３１）が、前記転倒防止アイテム（Ｓ）に突き当てられることによって、前記転倒防止アイテム（Ｓ）の転倒を抑止可能である構成を採用する。
【００２９】
また、本発明は、転倒防止ユニット（1）であって、前記転倒防止ユニット（1）は転倒防止具（２）、および載置部（２１）から成り、前記載置部（２１）は、転倒防止アイテム（Ｓ）を載置する為の台または板または可撓性シート（１０）であり、前記転倒防止アイテム（Ｓ）は、転倒させたくない物品であり、
前記転倒防止具（２）は、
棒状または板状の板棒材（１１）が、回動可能構造を備え、前記回動可能構造は載置部（２１）と係止され、前記板棒材（１１）は、
転倒防止アイテム（Ｓ）と着脱可能に係止可能な物品係止部（１５）を備え、
前記転倒防止アイテム（Ｓ）は、転倒させたくない物品であり、
前記載置部（２１）は、前記転倒防止アイテム（Ｓ）を載置する台または板または可撓性シート（１０）であり、前記突き当て部（３１）が、前記転倒防止アイテム（Ｓ）に突き当てられることによって、前記転倒防止アイテム（Ｓ）の転倒を抑止可能である
構成を採用することもできる。  
【００３０】
また、本発明は、前記板棒材（１１）の長さが変更可能である構成を採用することもできる。  
【００３１】
また、本発明は、前記板棒材（１１）を、２本以上備えている構成を採用することもできる。  
【００３２】
また、本発明は、前記２本以上の板棒材（１１）が、複数方向から設けられている構成を採用することもできる。  
【００３３】
また、本発明は、前記２本以上の板棒材（１１）の長さが、２種類以上であるか、または長さの変更が可能である構成を採用することもできる。  
【００３４】
また、本発明は、3本以上の前記板棒材（１１）が、3方向から設けられている構成を採用することもできる。  
【００３５】
また、本発明は、前記回動可能構造が、一定の角度で保持可能である構成を採用することもできる。  
【００３６】
また、本発明は、前記板棒材（１１）が、帯紐材（２０）または帯紐係止具（２３）を備えた構成を採用することもできる。  
【００３７】
また、本発明は、前記物品係止部（１５）または突き当て部（３１）が、帯紐係止具（２３）、またはベルト、または紐、またはゴム紐、またはワイヤー、または吸盤、または自己吸着シート、またはマグネット、または面ファスナー、または回動可能な回動手首（２９）であり、様々な形状の転倒防止アイテム（Ｓ）に対応可能である構成を採用することもできる。  
【００３８】
また、本発明は、前記物品係止部（１５）または突き当て部（３１）が回動可能な回動手首（２９）である構成を採用することもできる。  
【００３９】
また、本発明は、前記回動手首（２９）が多方向に回動可能である構成を採用することもできる。  
【００４０】
また、本発明は、前記転倒防止ユニット（1）が、橋架材（１７）を備えた構成を採用することもできる。  
【００４１】
また、本発明は、前記転倒防止ユニット（1）が、抑え掛板（３７）を備えた構成を採用することもできる。  
【００４２】
また、本発明は、前記抑え掛板（３７）が凸部である抑え掛歯（３８）を備え、前記板棒材（１１）または橋架材（１７）を引掛けることが可能である構成を採用することもできる。  
【００４３】
また、本発明は、前記板棒材（１１）が、載置部（２１）とは反対側に回動し、前記板棒材（１１）または、前記橋架材（１７）が、載置部（２１）または載置部（２１）の支持材となることが可能である構成を採用することもできる。  
【００４４】
また、本発明は、前記板棒材（１１）が、前記橋架材（１７）を介して、回動手首（２９）を備えた構成を採用することもできる。
【００４５】
また、本発明は、前記板棒材（１１）または、前記橋架材（１７）が、車輪（１９）を備えた構成を採用することもできる。  
【００４６】
また、本発明は、前記板棒材（１１）または、前記橋架材（１７）が、可撓性シート（１０）または帯紐材（２０）を備え、前記可撓性シート（１０）または帯紐材（２０）が、荷下板（３６）に係止され、前記荷下板（３６）が、転倒防止アイテム（Ｓ）の下に敷いて設けられる構成を採用することもできる。  
【００４７】
また、本発明は、前記板棒材（１１）または、前記橋架材（１７）が、巻き取り具（１８）を備え、前記巻き取り具（１８）は、可撓性シート（１０）または帯紐材（２０）を巻き取り可能である構成を採用することもできる。  
【００４８】
また、本発明は、前記載置部（２１）がアイテム底下係止部（２４）を備えた構成を採用することもできる。  
【００４９】
また、本発明は、前記載置部（２１）が立ち壁または立ち棒を備え、前記転倒防止アイテム（Ｓ）を前記板棒材（１１）で、前記立ち壁または前記立ち棒に押し付けるか、または、係る立ち壁または立ち棒と合わせて係止することが可能である構成を採用することもできる。  
【００５０】
また、本発明は、前記載置部（２１）が可撓性シート（１０）または面係止具であるか、または面係止具を備えている構成を採用することもできる。
【００５１】
また、本発明は、前記載置部（２１）が、他の載置部（２１）と係止可能な係止部を備えているか、または面係止具であるか、または長さの調整が可能である構成を採用することもできる。  
【００５２】
また、本発明は、前記載置部（２１）に、水を溜めることが可能である構成を採用することもできる。  
【００５３】
また、本発明は、前記載置部（２１）が可撓性シート（１０）である構成において、前記可撓性シート（１０）が、シート係止部を備えた構成を採用することもできる。  
【００５４】
また、本発明は、前記板棒材（１１）が、交差する構成を採用することもできる。  
【００５５】
また、本発明は、前記板棒材（１１）が、前記載置部（２１）との間に設けられている回動可能構造を備えた回動具（１２）の回動軸が、略水平方向に設けられている構成を採用することもできる。  
【００５６】
また、本発明は、前記板棒材（１１）が、前記載置部（２１）との間に設けられている回動可能構造を備えた回動具（１２）の回動軸が、略鉛直方向に設けられている構成を採用することもできる。  
【００５７】
また、本発明は、前記板棒材（１１）が、前記載置部（２１）との間に設けられている回動可能構造を備えた回動具（１２）の回動軸が、水平方向に対して斜めに設けられている構成を採用することもできる。
【００５８】
また、本発明は、前記転倒防止ユニット（1）が、台車である構成を採用することもできる。  
【００５９】
また、本発明は、前記転倒防止ユニット（1）が、花台または植栽容器転倒防止台である構成を採用することもできる。  
【００６０】
また、本発明は、前記転倒防止ユニット（1）が、棚である構成を採用することもできる。  
【００６１】
また、本発明は、前記板棒材（１１）が、鉢カバーであり、前記板棒材（１１）が板状であり、前記板棒材（１１）が、花器の、周囲を囲っている構成を採用することもできる。  
【００６２】
また、本発明は、前記帯紐係止具（２３）が、鉢カバーであり、花器の、略上から下までを覆う
構成を採用することもできる。
【発明の効果】
【００６３】
本発明に係る末広収納具あるいは末広収納ユニットによれば、屋内、屋外を問わず、様々な形状、デザインの物品の転倒防止に対応可能で、手軽で、自由度の高い転倒防止具を提供でき、物品の転落や転倒による安全性の点においても、優れた効果を発揮する。
【００６４】
本発明に係る末広収納ユニットによれば、運搬における物品の転倒防止と保持を、より容易にし、作業負担の軽減や作業の効率化を図れるという優れた効果を発揮する。
【００６５】
本発明に係る末広収納ユニットによれば、特に花器の様に、形状やサイズも様々な容器対しても、転倒防止効果としての対応の自由度が高く、人に対する安全性、周囲の物品に対する安全性、その容器その物の破損の予防とい、優れた効果を発揮する。
【図面の簡単な説明】
【００６６】
【図１】本発明に係る転倒防止具の基本構成説明図である。
【図２】本発明に係る転倒防止具が回動手首を備えた構成の例の構成説明図である。
【図３】本発明に係る転倒防止具のバリエーションの構成説明図である。
【図４】本発明に係る転倒防止ユニットのバリエーションの構成説明図である。
【図５】本発明に係る転倒防止ユニットが花台のバリエーションの構成説明図である。
【図６】本発明に係る転倒防止具の帯紐係止具がベルトである構成の例の説明図である。
【図７】本発明に係る転倒防止ユニットの載置部が可撓性シートである構成の説明図である。
【図８】本発明に係る転倒防止ユニットが棚のバリエーションの構成説明図である。
【図９】本発明に係る転倒防止ユニットが台車であるバリエーションの構成説明図である。
【図１０】本発明に係る転倒防止ユニットが台車であるバリエーションの構成説明図である。
【図１１】本発明に係る転倒防止ユニットが、抑え掛板を備えた構成説明図である。
【図１２】本発明に係る転倒防止ユニットの抑え掛板に複数の抑え掛歯が設けられた構成の説明図である。
【図１３】本発明に係る転倒防止ユニットの回動手首が、橋架材を介した例の構成説明図である。
【図１４】本発明に係る転倒防止ユニットの転倒防止具が、係る台車の前後両方に設けられている構成の説明図である。
【図１５】本発明に係る転倒防止ユニットの回動具が斜めに設けられている構成の説明図である。
【図１６】本発明に係る転倒防止ユニットの回動具の回動軸が、水平より傾いて設けられている構成説明図である。
【図１７】本発明に係る転倒防止ユニットにおける回動具の回動軸が鉛直方向に設けられている構成説明図である。
【発明を実施するための形態】
【００６７】
本発明に係る転倒防止具２は、棒状または板状の板棒材１１が、回動可能構造に備えられ、転倒させたくない物品である転倒防止アイテムＳと係止するか、突き当てられることによって、前記転倒防止アイテムＳの転倒を抑止可能とする効果を最大限に発揮するものである。
以下、図面に基づいて本発明に係る転倒防止具２あるいは転倒防止ユニット１について説明する。
但し、図面に示した形状や配置構成等についてはあくまでも代表的な例示であり、その他、本願発明の特徴的な効果が発揮される範囲において変更することが可能であり、各図面の構成に限定されるものではなく、また、それぞれの図の例示の構成は、それぞれ他のお互いの図面の構成の例において、互いに応用可能であるものである。
【００６８】
図１は、係る転倒防止具２あるいは転倒防止ユニット１の基本的な構成を示す説明図である。
図１（ａ）は、載置部２１である板状の台の上に植栽容器が転倒防止アイテムＳとして載置されており、係る植栽容器を、係る載置部２１に係止して設けられた３つの転倒防止具２によって、３方向から支持することによって、係る植栽容器の転倒を抑止している構成の例である。
【００６９】
係る転倒防止具２は、棒状の板棒材１１が回動可能な回動可能構造を備えた回動具１２を介して、係る板状の載置部２１に係止されて設けられており、係る板棒材１１が、係る転倒防止アイテムＳに突き当て部３１において当接、つまり、３方向から突き当たって接することによって保持されている構成の例である。
尚、係る３本の板棒材１１の内、１本の板棒材１１は、係る転倒防止アイテムＳである植栽容器の向こう側に配置されており、こちらから見えている板棒材１１は、２本の板棒材１１のみである。
【００７０】
係る板棒材１１の先端には、突き当て部３１として球状のゴム部材が設けられており、滑って外れ難い構成となっている。
特に、係る転倒防止アイテムＳが植栽容器の様に、サイズや形状が様々であっても、係る板棒材１１が備えた回動可能構造によって係る板棒材１１の角度が調整できる構成であるので、自由度が高く、対応可能で、また、水受け皿も下に敷くようなことも多く、転倒防止の対策が難しい植栽容器のような構成の転倒防止アイテムＳに対しても、転倒を防止することが可能な構成として、安全性の面からも、有用な構成である。
【００７１】
また、植栽容器や花瓶や壺の様に、それ単体では地震等で転倒し易いことも考慮した意匠性等のデザインの幅が制限され、例えば、細く背の高い様な植栽容器は、安全性の面からも意匠性のデザイン制限が高い物であるが、係る構成の転倒防止具２、あるいは、転倒防止ユニット１の構成とすることによって、係る植栽容器等の転倒防止アイテムＳを背の高い形状にする等、意匠性の自由度もアップし、有用である。
【００７２】
尚、係る板棒材１１と転倒防止アイテムＳとの突き当て部３１は、例えば、球状のゴム等の様に、滑り難く、様々な方向に対して支持可能であることによって、係る様々な形状の転倒防止アイテムＳに対して、転倒防止抑止効果が高く、有用であり、また、発泡性のゴム素材等の構成としても、係る転倒防止アイテムＳの外径の形状に馴染み、滑り止め効果が増加し、有用であるし、また、その他、係る板棒材１１の先が細くなった形状としても良いし、回動可能な回動手首２９を備えた構成としても良いし、対象となる転倒防止アイテムＳの種類や材質、サイズ、形状等によって、自由に設定可能であり、係る材質、形状については限定しない。
また、係る回動具１２の回動は、例えば係る回動具１２の回動軸２８の回転を一定の角度で、例えばネジ１４構造等で回転を止めることが可能な構成として保持可能な構成とすることによって、様々な角度で係る板棒材１１を止めることが可能となり、様々な形状の転倒防止アイテムＳに対応可能で、よりしっかりと保持可能な構成となり、有用である。
尚、係る載置部２１と係る載置部２１の係止された転倒防止具２のセットを、転倒防止ユニット１とする。
【００７３】
板棒材１１は、棒状または板状の係る転倒防止具２のアームであり、係る転倒防止アイテムＳを支持する為の棒材または板材であり、係る対象とする転倒防止アイテムＳの重量を支えるに十分な強度がある必要があり、係る素材は、鉄やアルミニウム等の金属でも良いし、木でも、竹でも、ポリ塩化ビニールや、ポリアミドやポリカーボネートの様な合成樹脂でも、コンクリートでも、ガラスでも、陶磁器でも良く、その他、本願発明の特徴的な効果が発揮される範囲において変更することが可能であり、限定しない。
載置部２１は、係る転倒防止アイテムＳを載置する為の台であり、板状でも、網状でも良いし、係る素材は、鉄やアルミニウム等の金属でも良いし、木でも、竹でも、ポリ塩化ビニールや、ポリアミドやポリカーボネートの様な合成樹脂でも、可撓性シート１０でも、コンクリートでも、ガラスでも、陶磁器でも良く、その他、本願発明の特徴的な効果が発揮される範囲において変更することが可能であり、限定しない。
【００７４】
また、係る載置部２１を、自己吸着シートや、マグネットシートや、面ファスナー等の面係止具である構成とすることによって、係る転倒防止ユニット１を載置する台や場所と、より一体となって係る転倒防止ユニット１を載置することが可能であるので、係る転倒防止アイテムＳの転倒を抑止することが可能であると共に、係る転倒防止ユニット１を載置する台等の形状に合わせてカットしたり、加工もしやすく、係る台等を傷つけ難くもあり、有用である。
【００７５】
回動具１２は、回動可能に係る板棒材１１を、あるいは、板棒材１１に対して、回動可能に設ける為の部材であり、蝶番でも良いし、棒を穴に挿通させて係る棒を回動軸２８として回動する構成としても良いし、可撓性シート１０を、例えば、板棒材１１と載置部２１を連結する様にして設けて、係る可撓性シート１０が曲折することによって、係る板棒材１１が回動可能となる構成としても良く、その他、本願発明の特徴的な作用、効果が発揮される範囲において変更することが可能であり、限定しない。
植栽容器は、花器でもあり、植物２７を植栽する為の容器であり、植物２７を根２６を張らせるようにして植栽し、培養する為の基材である培養基材に係る根２６を張らせて植物２７を育苗する為の容器である。
【００７６】
この様に、板材に転倒防止具２を係止した転倒防止ユニット１とすることによって、あらゆる場所に置いた植栽容器等の転倒防止アイテムＳに、転倒防止対策を施すことが可能となり、大事な植物２７や鉢等を守ることが可能で、また安全に対しても大変有用である。
また、図面には示されていないが、係る載置部２１に水が溜まる水受けである構成として、係る植栽容器に潅水された水が外に流れ出さない構成としても、周りを汚す心配も減り、また、別途別の水受けを準備する必要もなく、有用である。
【００７７】
図１（ｂ）は、 図１（ａ）の構成と類似の構成の断面図であり、載置部２１に係止された二つの転倒防止具２が、係る植栽容器の外面に当接して、転倒防止可能に支持している構成の例であり、係る植栽容器は、水受け皿を備えた構成の例であり、この様に、係る転倒防止アイテムＳに、他の何かが付帯していても、また、形状が異形であっても、自由度が高く保持可能な構成であることを示しており、有用である。
尚、係る図面には、二つの転倒防止具２が示されているが、係る構成においては、係る転倒防止具２は3方以上から支持される方が、より効果的に係る植栽容器である転倒防止アイテムＳを転倒防止可能に保持可能で望ましい。
尚、ドット模様部は培養基材を示しているものである。
【００７８】
図１（ｃ）は、花瓶を台である花台に載置した構成において、係る花台に転倒防止具２を備えた構成の例である。
係る転倒防止具２は、係る円形の花台の板状の台の周辺部の３か所から、係る円形の花台に載置された花瓶に向かって設けられており、回動具１２を介して係る円形の花台の外辺部に、台係止部１３であるクランプで着脱可能に係止された板棒材１１が、回動することによって、係る花瓶に略球状の突き当て部３１で突き当てて、係る花瓶を保持している構成の例である。
この様に背の高い花瓶等の花器の転倒防止にも有用な構成であり、特に、係る花器がガラスや陶器である構成である場合等は、転倒して割れて破損した場合等は、破片で怪我をしたり、係る花瓶や植栽容器の中に収容された水や、培養土等の培養基材によって、大切な周囲の物品を汚したり、破損させてしまったりすることも抑止することが可能な構成であり、有用である。
【００７９】
台係止部１３は、係る板棒材１１が、台等の載置部と着脱可能に係止可能である構成の係止部であり、クランプでも良いし、面ファスナーでも、帯紐材２０でも、マグネットでも良く、その他、本願発明の特徴的な作用、効果が発揮される範囲において変更することが可能であり、限定しない。
帯紐材２０は、可撓性のある長尺な部材であり、可撓性シート１０からなる帯状材でも、紐でも、ロープでも、ベルトでも、面ファスナーでも、ワイヤーでも良く、その他、本願発明の特徴的な作用、効果が発揮される範囲において変更することが可能であり、限定しない。
尚、必要に応じて、係る台係止部１３側を、転倒防止アイテムＳに係止する構成としても良い。
係る台係止部１３が板等を挟み込んで係止可能なクランプであることによって、係る板の材質に関わらず係止可能で、自由度が高く、有用である。
尚、下記は、花瓶や水差し等の水に花を生ける容器、及び、植木鉢等の培養土等の培養基材を入れて、根を張らせる植栽容器も総称して、花器とする。
【００８０】
図１（ｄ）は、図１（ｃ）の構成の例の転倒防止具２と略同等の構成の転倒防止具２であり、回動具１２を介して板状の台の外辺部に、クランプで着脱可能に係止された板棒材１１が、回動することによって、係る転倒防止アイテムＳに、係る半球状の突き当て部３１にて当接することによって、係る転倒防止アイテムＳの転倒を防止している構成を示している例である。
尚、係る点格子模様にて図示されている部分が、係る転倒防止アイテムＳを示している。
係る板棒材１１が、回動可能な構成であることによって、係る転倒防止アイテムＳの位置やサイズに対して、自由度が高く、有用な構成である。
【００８１】
図１（ｅ）の構成の例は、板棒材１１の突き当て部３１が、略部分円形の凹形状を備えていることによって、係る板棒材１１が当接する転倒防止アイテムＳである円形の植栽容器の外形に嵌り込むことによって、係る植栽容器の安定性を高めている構成の例であり有用である。
係る突き当て部３１側の部分円形の凹形状の半径と、係る植栽容器の外径の半径は、多少違っても、係る転倒防止アイテムＳの外径から、係る板棒材１１の横ずれして外れてしまうのを押さえる効果は備わっているので、十分安定させる効果があり、有用である
この様に、係る突き当て部３１の形状を、ある程度、係る転倒防止アイテムＳの外形に合わせた形状とすることによって、係る転倒防止アイテムＳの安定性を上げることが可能となり、有用である。
特に、転倒防止アイテムＳの外形が円筒などの曲面の場合、係る突き当て部３１が棒状等で細目の形状だと、滑ってずれ易い形状であるので、この様に、突き当て部３１に円状あるいは弧状、くの字状、コの字状等の凹形状を備えることは、有用である。
【００８２】
図２の構成の例は、係る転倒防止具２が回動手首２９を備えた構成の例である。
図２（ａ）の構成の例は、図１（ａ）の構成の例の転倒防止ユニット１において、略球状の突き当て部３１の代わりに、回動手首２９が、係る転倒防止アイテムＳである植栽容器に当接することによって係る植栽容器の転倒を防止している構成の転倒防止ユニット１例である。
係る板棒材１１が回動具１２によって回動可能な回動手首２９を備え、係る回動手首２９が係る転倒防止アイテムＳに当接することによって、より広い面で係る転倒防止アイテムＳを支えることが可能な構成であり、ついては、係る転倒防止アイテムＳと回動手首２９との間でより大きな摩擦抵抗を生じることが可能となり、係る当接した部分がずれて外れ難く、より安定した保持効果をもたらすことが可能であり、転倒防止効果が高く、有用である。
【００８３】
係る回動手首２９は、回動具１２によって回動可能に係る板棒材１１の一方の端に設けられた構成の部材であり、係る回動手首２９は、係る回動具１２によって回動して、係る回動手首２９に備えられた、より広い面、あるいは、より、摩擦力の強い面である突き当て部３１でもある突き当て面３２を、係る転倒防止アイテムＳに当接することによって、係る転倒防止アイテムＳを支え、転倒し難くする構成となっている。
【００８４】
また、係る回動手首２９は、係る回動手首２９の回動具１２である手首回動部３０の回動する回転の中心軸である回動軸２８を跨ぐ様にして、係る回動手首２９が転倒防止アイテムＳに当接する面が設けられている構成とすることによって、より、係る突き当て面３２が係る転倒防止アイテムＳの面に合わせて回動して、当接可能な構成であり、有用である。
また、係る手首回動部３０も、ネジ１４で締め付ける構造とすることなどによって、適切な一定の角度で、係る回動軸２８を保持可能な構成としても、より、安定的に係る転倒防止アイテムＳの転倒を防止することが可能な構成となり有用である。
【００８５】
図２（ｂ）の構成の例は、同様に、図１（ｄ）の構成の例の転倒防止具２の略半球状の突き当て部３１が、回動手首２９である構成の例であり、係る回動手首２９の突き当て部３１である突き当て面３２が、係る板棒材１１の回動と、転倒防止アイテムＳの形状に合わせて、適切に、自由に方向を調整することが可能であり、有用である。
突き当て面３２は、回動手首２９に備えられた面であり、主には、係る回動手首２９に備えられた一番広い面であり、係る回動手首２９が回動して転倒防止アイテムＳと当接可能となる面である。
【００８６】
係る突き当て面は、必ずしも係る回動手首２９に設けられた一番広い面に限定するものではなく、係る回動手首２９に設けられた転倒防止アイテムＳと当接可能な面において、必要に応じて、面ごとに、形状や材質を変えた構成としても良い。
尚、突き当て部３１あるいは突き当て面３２は、平面でも良いし、曲面や、凹凸を備えて滑り止めの効果を高めた構成としても良いし、吸盤やゲル素材等を備えて吸着性の高い素材としても良いし、係る材質も、スポンジ等の発泡性素材やゴムなどの弾性素材としても良いし、自己吸着シートやマグネットや面ファスナー等の、面で着脱可能に係止可能な面係止具を備えても良く限定せず、その他、本願発明の特徴的な作用、効果が発揮される範囲において変更することが可能であり、限定しない。
【００８７】
また、係る転倒防止具２の回動手首２９の突き当て面３２にて、地面と当接させ、係る台係止部１３であるクランプ側を転倒防止アイテムＳと係止させる構成として、係る転倒防止アイテムＳの転倒を防止する構成としても、係る転倒防止アイテムＳを移動させても、係る転倒防止アイテムＳの転倒を防止可能な構成とすることが可能であり、有用である。
【００８８】
図２（ｃ）の構成の例は、図２（ｂ）の構成の例における回動手首２９に設けられた突き当て面３２が、スライド可能に設けられているか、あるいは、係る手首回動部３０の回動軸２８の方向に対して垂直方向の回動軸２８を備えて、係る突き当て面３２が係る手首回動部３０に対して垂直方向に回転可能な横回転手首３４であることによって、係る手首回動部３０に対して跨ぐ様にして設けられた突き当て面３２の上下の長さである跨ぎ長さ１６を変更可能とした構成の例である。
この様に、係る跨ぎ長さ１６を変更可能な構成とすることによって、係る突き当て面３２が転倒防止アイテムＳと当接する高さによって、係る跨ぎ長さ１６を調整して、よりしっかりと、また、自由度高く、係る転倒防止アイテムＳの倒れを防止することが可能であり、有用である。
【００８９】
例えば、図２（ｃ）の構成の例の実線で示された転倒防止具２が、係る突き当て面３２の跨ぎ長さ１６を、係る手首回動部３０に対して下側を長く調整した構成の例であり、例えば、係る板棒材１１の角度が、より大きな角度で、より高い位置で係る転倒防止アイテムＳを支持する構成の場合等は、この様に、下側を長い構成とすることによって、より安定的に係る転倒防止アイテムＳを支持することが可能な構成となり、図２（ｃ）の構成の例の上から２番目の破線で示された転倒防止具２の例の様に、係る突き当て面３２の跨ぎ長さ１６を、上側に長く調整した場合は、係る板棒材１１の角度が小さく、係る転倒防止アイテムＳを低い位置で支持する構成の場合に有用な構成であり、また、図２（ｃ）の構成の例の上から３番目の破線で示された転倒防止具２の例の様に、図２（ｃ）の実線の転倒防止具２同様に、係る跨ぎ長さ１６を下側が長い構成として、係る回動手首２９を係る板棒材１１の延長線上に伸ばした様な構成とすることによって、より、遠くの転倒防止アイテムＳを支持可能とする構成の例となり、より、自由度が高く、よりしっかりと転倒防止可能な構成となり、有用である。
【００９０】
係る手首回動部３０の回動軸２８の回動方向は、板棒材１１の長手方向の中心線に対して直角の方向でも良いし、対象とする転倒防止アイテムＳの形状や、角度によって、斜めの方向でも良く、限定せず、また、必要に応じて、多方向に回動可能な構成としても良い。
【００９１】
図２（ｄ）の構成の例は、図２（ｃ）の構成の例の説明にある、回動手首２９に設けられた突き当て面３２が、スライド可能に設けられている構成の例の説明の為の説明図であり、図２（ｃ）の回動手首の部分を、上面から見た上面図の例である。
係る回動手首２９に設けられた突き当て面３２を構成する部材が、係る手首回動部３０を構成する部材とレール状に嵌め合うことによって、係る突き当て面３２が、係る手首回動部３０に対してスライドして可動であることによって、係る跨ぎ長さ１６を変更可能とした構成の例である。
係るスライド構造は、この様に手首回動部３０側と突き当て面３２側の部材でスライド可能な構成としても良いし、突き当て面３２側の部材で同じようにスライド可能な構造を備えて、係る突き当て面３２自体の長さが変わることによって、係る跨ぎ長さ１６を変更可能とした構成としても良いし、その他、本願発明の特徴的な作用、効果が発揮される範囲において変更することが可能であり、限定しない。
【００９２】
図２（ｅ）の構成の例は、図２（ｃ）の構成の例の説明にある、手首回動部３０に対して垂直方向に回転可能な横回転手首３４の説明の為の説明図であり、図２（ｄ）の構成の例が、手首回動部３０側の部材に、突き当て面３２側の部材がスライド可能に設けられることによって、跨ぎ長さ１６を変更可能である構成の例であるのに対し、図２（ｅ）の構成の例は、手首回動部３０側の部材に、突き当て面３２側の部材が回転可能に設けられることによって、跨ぎ長さ１６を変更可能である構成の例の説明図であり、係る突き当て面３２の正面からの説明図である。
係る突き当て面３２には、係る手首回動部３０側の部材に挿通して連結された棒状の部材で連結されており、係る棒状の部材が、回転軸３９となって、係る回転軸３９を中心に回転することによって、係る跨ぎ長さ１６が変更される構成の例である。
尚、図２（ｅ）中の点線で示された図が、係る突き当て面３２が約４５度程度、回転した図であり、係る突き当て面３２が、１８０度回転することによって、図２（ｃ）の実線の図と、上側の点線の図の状態の関係性を示す構成となるものである。
【００９３】
図２（ｆ）の構成の例は、図２（ｂ）の構成の説明にもある様に、係る転倒防止具２の回動手首２９の突き当て面３２にて、地面と当接され、係る板棒材１１の反対側の端に設けられたクランプ側を転倒防止アイテムＳと係止させた構成の例であり、係る転倒防止アイテムＳを略どこに移動させても、係る転倒防止アイテムＳの転倒を防止可能な構成とすることが可能であり、有用である。
係るクランプは、係る植栽容器の開口部の縁に係止して設けられており、係る板棒材１１において、クランプと反対側の端に設けられた回動手首２９が、地面に当接することによって、係る転倒防止アイテムＳを支えて、転倒を防ぐ構成の例である。
また、係る板棒材１１が、例えば振り出し竿の様に長さが可変な構造を備えることによって、係る転倒防止アイテムＳの高さやサイズに合わせて係る転倒防止具２の長さを、自由に、より適切に設定して、転倒防止することが可能な構成となり、有用である。
【００９４】
図２（ｇ）の構成の例は、図２（ｆ）の構成の例の転倒防止具２において、係る台係止部１３であるクランプの代わりに、帯状の面ファスナーが設けられている構成の例である。
係る転倒防止具２が、２つ、背の高い花器である花瓶の左右から設けられている構成の例であり、係る転倒防止具２に設けられた帯状の面ファスナーが、係る花器を、違う高さで巻いて係止して支持している構成の例であり、この様に、違う高さで支持することによって、係る転倒防止アイテムＳを、より、転倒し難くすることが可能となり、有用である。
この様に、上下２段にて係止する構成とすることによって、１段のみで係止する構成と比べて、特にこの様に背が高く細い転倒防止アイテムＳの場合、例えば１段のみで係止している構成の場合に、係る係止している段より下側を、所謂、柔道の足払いの様な形で何かがぶつかってしまった場合、係る係止している１段を回転軸の様にして転倒してしまう場合があるが、このように、２段で係止している構成とすることによって、係る係止している段が、そのような回転軸とならず、係る転倒防止アイテムＳの転倒を防止する効果が、より高い構成となるものであり、有用である。
【００９５】
また、係る花器を係止している面ファスナーである台係止部１３が、帯紐材２０であることによって、様々な形状の転倒防止アイテムＳに、幅広く対応可能であり、また、係る帯紐材２０によって巻かれることによって、係る花器の周囲をがっちりとホールドして支持することが可能であるので、より、しっかりと転倒防止可能な構成とすることが可能であり、有用である。
また、係る台係止部１３として説明されている帯紐材２０は、係る板棒材１１のもう一端側に設けられているのが突き当て面３２を備えて当接によって保持可能とする回動手首２９であるので、係る帯紐材２０が台係止部１３である構成として示されているものであるが、係る回動手首２９が、例えばクランプ等の構成によって、台等に係止される構成の例の場合は、係る帯紐材２０が帯紐係止具２３と呼称されるものである。
【００９６】
尚、右側に設けられた転倒防止具２は、振り出し竿の様な振り出し構造によって、長さを変更可能な構成であり、また、係る花瓶の係止する高さを自由に調整可能な構成であり、有用であり、また、ネジ１４状のツマミで係る振り出し量を保持可能である構成であり、有用である。
【００９７】
図３の構成の例は、転倒防止具２と転倒防止ユニット１のバリエーションの構成の例を、係る載置部２１が板状の構成の例で説明するものである。
この様に、板状の載置部２１に、係る転倒防止具２を備えた転倒防止ユニット１とする構成とすることによって、どこに置いてある植栽容器等の転倒防止アイテムＳの下に係る転倒防止ユニット１を敷くだけで、転倒防止効果が期待できる構成となり、有用である。
【００９８】
図３（ａ）の構成の例の転倒防止ユニット１は、２つの板棒材１１の、それぞれの回動手首２９が、帯紐係止具２３である面ファスナーによって連結されて、係る転倒防止アイテムＳである植栽容器を巻いて係止している構成の例である。
また、係る帯紐係止具２３を、それぞれの板棒材１１に別々に設けられた面係止具である構成とすることによって、係る長さも係る転倒防止アイテムＳの外形に合わせて自由に、容易に調整可能であるし、また、係る転倒防止アイテムＳの外径が、例えば、この様に逆円錐台形状の場合、この様に帯状の可撓性部材を巻く際には、上下の径の違いにより、係る面に対して、係る帯状の可撓性部材の密着性を保持させて巻くのが、やや手間が掛かる面があるが、この様に別々の複数の面係止具で巻く構成とすることによって、容易に、自由度高く、よりしっかりと係る転倒防止アイテムＳの外形に係る帯紐係止具２３を巻いて係止することが可能であるので、より、係る転倒防止アイテムＳの安定性が増し有用な構成となるものである。
帯紐係止具２３は、転倒防止アイテムＳと板棒材１１を係止して、係る転倒防止アイテムＳの転倒を防止する為に係る板棒材１１に設けられた物品係止部１５である。
【００９９】
図３（ｂ）の構成の例の転倒防止ユニット１は、図３（ａ）の構成の例の転倒防止ユニット１における板棒材１１が、１つの構成の例であり、係る板棒材１１に設けられた回動手首２９に、帯状の面ファスナーが、帯紐係止具２３として設けられた転倒防止ユニット１の構成の例であり、係る帯紐係止具２３である面ファスナーが、係る転倒防止アイテムＳを巻くようにして設けられていることによって、係る転倒防止アイテムＳを、しっかりと抱え込んで保持可能な構成であり、また、１つの板棒材１１で支持している構成であるので、外観的に、係る板棒材１１を係る植栽容器等の転倒防止アイテムＳのの背後に隠すことも容易であり、意匠的にも有用である。
また、係る帯紐係止具２３は、より幅が広い構成とすることによって、よりしっかりと係る転倒防止アイテムＳである植栽容器を保持可能な構成となり有用であり、例えば係る帯紐材２０の幅を、係る植栽容器の高さと略同程度の高さの帯紐材２０とすることによって、鉢カバーも兼ねた転倒防止ユニット１あるいは転倒防止具２である構成とすることも可能であり、冬の植栽容器の保温や、夏の植栽容器への直射日光を避ける構成とすることができ、植物２７の育成にも優しい構成とすることが可能で、倒れ難い鉢カバーとして、有用である。
【０１００】
図３（ｃ）の構成の例の転倒防止ユニット１あるいは転倒防止具２は、２本の長さの違う板棒材１１が、１つの回動具１２に設けられた構成の例である。
係る２本の板棒材１１は、同一の回動軸２８を備えて回動具１２に備えられており、係る構成とすることによって、係る転倒防止アイテムＳを高さの違う２段にて支持することが可能に、面ファスナーを備えて、係る転倒防止アイテムＳを保持することによって、係る転倒防止アイテムＳである植栽容器の安定性を、より高めた構成の例である。
この様に、係る転倒防止アイテムＳを高さの違う２段にて係止する構成の有用性は、図２（ｇ）の構成の例の説明にもある様に、有用性の高い構成である。
係る二つの板棒材１１は、１つの回動軸に横に並列に設けた構成としても良いし、長い方の板棒材１１を二股にして係る回動軸２８に設けて、もう一本の短い方の板棒材１１を係る長い方の板棒材１１の二股の股の間に設ける構成としても良く、係る構成は、限定しない。
【０１０１】
図３（ｄ）の構成の例の転倒防止ユニット１は、係る転倒防止アイテムＳである植栽容器の開口部の縁部の外側に、つば状の凸部を備えた構成となっており、係る転倒防止アイテムＳの外面部に設けられた凸部を、外面凸部３３とし。係るつば状の外面凸部３３に、係る板棒材１１の突き当て部３１を突き当てることによって、係る転倒防止アイテムＳである植栽容器の転倒防止とした構成の例である。
この様に、外面凸部３３に当接させて、係る転倒防止アイテムＳを保持する構成とすることによって、例えば、図１（ａ）の構成の例の転倒防止ユニット１の場合は、非常に強い当たりが係る植栽容器にかかり、また、特に係る板棒材１１の角度が大きく、係る当接する位置が高い場合、係る突き当て部３１が滑ってずれてしまい、係る転倒防止アイテムＳが転倒してしまう懸念もある構成ではあるが、係る転倒防止アイテムＳを外面凸部３３にて保持する構成とすることによって、そのように、係る突き当て部３１が転倒防止アイテムＳから外れてしまうという懸念は、かなり低減される構成であり、より、安定的に係る転倒防止アイテムＳを保持可能な構成であり、有用である。
尚、係る板棒材１１は、長さが可変である構成とすることによって、係る外面凸部３３に合わせて係る板棒材１１の長さを調整可能な構成であり、より、確実に係る外面凸部３３を活用した転倒防止の構成とすることが可能であり、有用である。
外面凸部３３は、転倒防止アイテムＳの上部に設けても良いし、中程に設けても良いし、複数設けても良いし、波型やギザギザの外面としても良く、限定せず、本願発明の特徴的な作用、効果が発揮される範囲において変更することが可能であり、限定しない。
【０１０２】
また、係る回動具１２は、蝶番の構成の例であるが、係る蝶番を、回動具１２として、可撓性シート１０である構成としても良く、係る可撓性シート１０を係る板棒材１１と載置部２１を連結する様にして、係る蝶番と同じような状態に接着剤等で係止して設けることによって、係る可撓性シート１０が曲折して、係る板棒材１１が回動可能となる構成としても良く、蝶番等と比較して、コストメリットも高く、サイズや強度も自由に設定可能な構成となり、有用である。
【０１０３】
図４の構成の例は、転倒防止具２と転倒防止ユニット１のバリエーションの構成の例である。
図４（ａ）の構成の例は、図３（ａ）の構成の例の転倒防止ユニット１と略同等の構成の例の転倒防止ユニット１において、係る載置部２１が、台状の花台である構成の例である。
この様に、載置部２１の高さが高くて、係る載置部２１が高い為に、地震等においても、係る載置部２１状の揺れが大きくなり易く、また、この様に、高い載置部２１に置かれた転倒防止アイテムＳが落下した際には、係る転倒防止アイテムＳの破損や、周囲の物品等に対する破損や汚れの被害も大きくなり易い為、この様に高い位置に転倒防止アイテムＳが載置されるような構成においても、有用性が高い構成である。
また、この様な背の高い花台に、図３（ａ）の構成の例の様な転倒防止ユニット１を載置した構成としても良いが、そのような構成とした場合、係る転倒防止アイテムＳが転倒防止ユニット１ごと、係る花台から落下してしまう恐れもあり、図４（ａ）の構成の様に、係る転倒防止具２と載置部２１が一体となった構成とした方が、より、係る転倒防止具２が係る花台の様な背の高い載置部２１に一体である構成とすることが可能となり、地震等の揺れにおいても、係る転倒防止アイテムＳが落下し難い構成となり、有用である。
【０１０４】
図４（ｂ）の構成の例は、図３（ａ）の構成の例の様な板状の載置部２１に、車輪１９を設けた構成の例である。
この様に、移動可能な台車に例えば、植栽容器を載置するような場合、係る載置部２１が動く為、より、載置部２１の安定性も悪く、係る転倒防止アイテムＳである植栽容器の転倒防止対策が必要であり、この様に、図３（ａ）の構成の例の様な転倒防止具２を備えた車輪１９を備えた転倒防止ユニット１とすることによって、安心して、係る転倒防止アイテムＳである植栽容器を移動、あるいは載置することができ、有用である。
【０１０５】
図４（ｃ）の構成の例の転倒防止ユニット１は、載置台２１に板状の板棒材１１が、回動具１２にて略円状に設けられており、また、係る板棒材１１が板状であるので、棒状の板棒材１１と比較して、より安定的に係る転倒防止アイテムＳを保持可能であり、有用である。
また、複数の板状の板棒材１１で係る転倒防止アイテムＳである植栽容器を囲う様にして設けることによって、係る転倒防止ユニット１が、鉢カバーの様な効果ももたらし、例えば、夏であれば直射日光から植栽容器である鉢を守って、鉢が蒸れる鉢蒸れを防止することが可能となるし、冬場は、冷気から鉢を守って、鉢の中が凍るのを抑止することが可能であり、また、装飾的にも、様々な色や形状の板棒材１１を設けることで、倒れ難い鉢カバーとしても、様々な有用性を発揮する構成である。
【０１０６】
係る各板棒材の上部には、帯紐材２０あるいは帯紐係止具２３を引掛けて巻くことが可能なフック状の帯紐係止部２２が設けられている構成の例であり、この様に、係る板棒材１１の外側にフック状の帯紐係止部２２を備えることによって、容易に帯紐材２０あるいは帯紐係止具２３を掛けて設けることが可能であり、有用である。
また、係る構成とすることによって、様々なサイズの植栽容器にも対応可能であり、また、係る板棒材１１が外れることも無く係る植栽容器である転倒防止アイテムＳの転倒を防止可能であり、有用である。
【０１０７】
図５の構成の例は、帯紐係止具２３を備えた転倒防止具２が、３段の花台に設けられた構成の例であり、この様に、帯紐係止具２３によって保持された植栽容器が、係る転倒防止具２よって係る花台と一体に設けられることによって、係る植栽容器が係る花台から落下する心配は略抑制され、特に、地震や台風等の強風時も安心して、植栽容器を花台に載置して、植物２７を育成、装飾可能な構成であり、有用である。
特に、植栽容器は、植栽される植物によっては、特に、係る植物が花木類で、背が高かったり、重心のバランスが悪かったりするものも多く、様々で、また、風の影響や地震等の揺れの影響も受けて倒れ易く、重量があるものや、割れるものも多く、安全性の面からも有用である。
また、係る板棒材１１は、係る花台の前面側から設けられている構成の例であるが、係る花台の後ろ側から設けても良い。
係る板棒材１１を係る花台の前面側に設ける場合は、例えば、係る板棒材１１を幅を広い板状である構成として、前面からの直射日光を係る植栽容器にあたるのを防ぐ構成としても有用であるし、また、板棒材１１を、後ろ側から設ける構成とすることによって、係る板棒材１１が植栽容器に隠れて、見映え的な意匠性を悪化させない構成として有用性があり、必要に応じて、選択可能な構成である。
【０１０８】
図６の構成の例は、帯紐係止具２３がベルトである転倒防止具２の構成の例であり、図６（ａ）の構成の例の帯紐係止具２３は、図５の構成の例の様に、クランプが、回動具１２を介して板棒材１１に設けられており、係るクランプとは反対側の端に、物品係止部１５として、帯紐係止具２３であるベルトが設けられた構成の例である。
また、係るベルトには、２つの板棒材１１が設けられている構成の例である。
係る帯紐係止具２３であるベルトは、バックルを備え、係るバックルにて転倒防止アイテムＳを巻いたベルトを繋げて、締め込んで係止することが可能な構成の例である。
【０１０９】
図６（ｂ）の構成の例は、図６（ａ）の構成の例のベルトが、係る板棒材１１に係止される部分の構成の例の説明図である。
係る板棒材１１は板状であり、１重に巻いた可撓性シート１０が、係る板棒材１１の先端に、係る板棒材１１の板材と、もう一枚の別の板材の間に挟まれて設けられている構成の例であり、係る１重に巻いた可撓性シート１０がベルト通しの様な構成の帯紐係止部２２となり、係るベルトである帯紐係止具２３を係る帯紐係止部２２に挿通して係止する構成の例である。
この様に、係るベルト通し状の帯紐係止部２２を、係る板棒材１１の先端の係る板材の外に可撓性の素材で設けることによって、係る帯紐係止部２２が、自由に植栽容器等の転倒防止アイテムＳの面に合わせて沿うことが可能な構成であるので、よりしっかりと密着して、係る転倒防止アイテムＳを保持可能な構成となり、有用である。
尚、係る物品係止部１５でもある帯紐係止具２３が、このように目隠し板棒材１１の板材あるいは棒材の端の外に、可撓性ある部材によって構成される帯紐係止部２２によって設けられる構成とするのと同様に、係る目隠し板棒材１１の板材あるいは棒材の端の外に、可撓性の素材から成る物品係止部１５を備える構成とすることによっても、同様に、係る転倒防止アイテムＳの面に合わせて沿うことが可能な構成となり、有用である。
係る帯紐係止具２３が、係る板棒材１１に挿通して設けられることによって、係る２本の板棒材１１の間隔を、自由に調整可能な構成であり、有用である。
【０１１０】
図６（ｃ）の構成の例は、図６（ａ）の構成の例の転倒防止具２が、花台に設けられ、係る花台の縁部にクランプによって係止して係る花台に載置された植栽容器を係るベルトで巻いて保持した構成の例である。
係る構成においては、係るクランプは、方形の花台の同じ辺に設けられた構成の例であるが、係るクランプを設ける辺は、係る方形の隣の辺に設けても良いし、対向する辺に設けても良いし、また、係るベルトに設ける板棒材１１の数も、３つでもそれ以上でも良く、限定しない。
係るベルトを、係る板棒材１１にベルト通し式に設けることによって、係る板棒材１１の位置を自由に変更可能であり、また、板棒材１１を追加することも容易であり、有用である。
【０１１１】
図７の構成の例の転倒防止ユニット１は、載置部２１が可撓性シート１０であり、且つ、回動可能構造１４もまた、可撓性シート１０である構成の例である。
図７（ａ）の構成の例は、略板状の板棒材１１に可撓性シート１０が設けられている構成の例で、係る長尺の板状の板棒材１１の短手方向の辺に、同様に長尺の帯状の可撓性シート１０が設けられている構成の例であり、係る可撓性シート１０は、係る板棒材１１を、係る短辺側の辺を下にして立てた際に、底面になる面にネジ１４で係止された構成の例であり、係る帯状の可撓性シート１０も、係る短手方向の略端の辺にて、係る板棒材１１の短手側の辺にて、係止されている構成の例である。
係る転倒防止ユニット１に、転倒防止アイテムＳとしての植栽容器が設けられた構成の例の説明図が、図７（ｉ）であり、係る板棒材１１に係止された可撓性シート１０が、係る板棒材１１の根元で曲折することによって、係る板棒材１１が回動し、係る植栽容器に当接されて、係る植栽容器の倒れを抑止している構成の例である。
【０１１２】
図７（ａ）の構成の可撓性シート１０と板棒材１１の係止される構成例においては、図７（ｉ）にも示される様に、係る可撓性シート１０の上に係る板棒材が一部乗っている構成であるので、係る可撓性シート１０から、係る板棒材と可撓性シート１０との係止部に引っ張る力が印加された場合も、係る板棒材１１が係る可撓性シート１０に乗っている部分において、係る引っ張る力が係る係止部に伝わるのが減衰されるので、係る係止部の強度を補完することが可能な構成であり、有用である。
【０１１３】
図７（ｂ）の構成の例は、係る可撓性シート１０が、係る板棒材１１の端部を、巻くようにして設けられている構成の例であり、係る可撓性シート１０が係る端部を巻いている分、更に図７（ａ）の構成の例より、係る係止部に印加される力を減衰可能で、有用である。
また、係る構成においても、図７（ａ）の構成と同様の面でも合わせて係止する構成としても、更に強度が増し、有用である。
【０１１４】
図７（ｃ）の構成の例は、係る板棒材１１と帯状の可撓性シート１０が、互いに向かい合わせの状態で、係る互いの略端部で、係止された構成の例であり、係る構成は、シンプルで、作業性の良い構成であり、また、係る係止部が、外側からは見え難い構成とすることができ、意匠的にも有用である。
【０１１５】
図７（ｄ）の構成の例は、図７（ｃ）の構成の例の可撓性シート１０が、一重で係止された構成であるのに対して、係る可撓性シート１０が、２重に係止されている構成の例であり、更なる強度アップを図る構成の例であり、また、係る係止部が、外側からは見え難い構成とすることができ、意匠的にも有用である。
また、図７（ｊ）の図と説明にもある様に、係る載置部２１が植栽容器の水受けとなる構成とした場合に、係る係止部が係る板棒材１１の載置部２１側の面に備えられているので、係る板棒材１１が水に浸らず、つまり、係る板棒材１１が、木の構成の場合に、水に浸ることによる材の劣化を抑制することが可能な構成であり有用である。
【０１１６】
図７（ｅ）の構成の例は、載置部２１である可撓性シート１０と係る板棒材１１を、別のタブ状の可撓性シート１０によって繋げて係止した構成の例である。
係る構成は、載置部２１の可撓性シート１０の材質と、係る曲折して係る板棒材１１を回動可能にする可撓性シート１０の材質を変えて、強度等をアップした構成としたい場合などに、有用である。
また、一枚の可撓性シート１０に、複数の植栽容器等の転倒防止アイテムＳを載置可能な構成の転倒防止ユニット１とすることが可能な構成であり、例えば、下を汚したくないような場所等において、しっかりと広い載置部２１である可撓性シート１０で覆い、下を保護しながら、係る植栽容器が転倒しないように、係る転倒防止ユニット１にて、植栽容器等の転倒防止対策をすることが可能な構成であり、有用である。
【０１１７】
図７（ａ）から図７（ｅ）の構成の例に示される様に、係る可撓性シート１０が係る板棒材１１と係止される係止構造は、様々あり、その他、本願発明の特徴的な作用、効果が発揮される範囲において変更することが可能であり、限定しない。
また、係る可撓性シート１０と板棒材１１の係止部は、ネジ１４でも良いし、接着でも、粘着でも、リベットでも、融着でも、板で挟持しても、面ファスナーでも、クランプでも良く、その他、本願発明の特徴的な作用、効果が発揮される範囲において変更することが可能であり、限定しない。
【０１１８】
図７（ｆ）の構成の例の転倒防止ユニット１は、載置部２１である係る帯状の可撓性シート１０の両端に板棒材１１が設けられた構成の例であり、係る載置部２１に転倒防止アイテムＳである植栽容器が載置された構成の例が、図７（ｈ）である。
この様に、係る転倒防止ユニット１は、転倒防止アイテムＳを対向する２方向から押さえて、係る転倒防止アイテムＳが転倒するのを抑制可能とする構成の例である。
係る対面する板棒材１１を備えた構成の転倒防止ユニット１は、図７（ｈ）の構成の例の様に、一文字に設ける構成としても良いし、２つの係る転倒防止ユニット１を係る植栽容器の下で交差させて、十文字状に配置させて、十字方向から係る植栽容器を支持させる構成としても良く、また、更に多くの転倒防止ユニット１を交差させて多方向から支持させる構成としても、更に係る植栽容器を安定することが可能で有用である。
また、係る載置部２１である係る帯状の可撓性シート１０を、例えば、バックルや、面ファスナーで畳んで係止可能な構成とする等、長さが変更可能な構成としても、載置する植栽容器等の転倒防止アイテムＳの様々なサイズや形状に対応可能な転倒防止ユニット１とすることが可能であり、有用である。
【０１１９】
図７（ｇ）の構成の例の転倒防止ユニット１は、１つの可撓性シート１０である載置部２１に、複数の板棒材１１を設けた構成の例の断面図である。
係る可撓性シート１０は、一部が省略されており、１つの可撓性シート１０に、設けられた板棒材１１の内、３つの板棒材１１が示されている状態の説明図である。
係る構成の例の転倒防止ユニット１は、例えば、図７（ｊ）の斜視図の例に示されているように、例えば、円形の可撓性シート１０を載置部２１として、係る円形の可撓性シート１０の略縁部に複数の板棒材１１を放射状に設けて、係る板棒材１１を備えた可撓性シート１０に、転倒防止アイテムＳである植栽容器を備えて、板棒材１１で支持した構成の例である。
【０１２０】
図７（ｈ）の構成の例の転倒防止ユニット１は、図７（ｆ）の構成の例の説明にもある様に、帯状の可撓性シート１０の対面させるようにして板棒材１１を備えた構成の例の転倒防止ユニット１によって、係る可撓性シート１０を載置部２１として、係る載置部２１の上に載置した転倒防止アイテムＳである植栽容器を、両側から挟むようにして板棒材１１が支持した構成の例である。
図７（ｉ）の構成の例は、図７（ａ）の構成の説明にもある様に、載置部２１である１つの帯状の可撓性シート１０あたり、１つの板棒材１１が設けられた転倒防止ユニット１に、植栽容器を載置し、係る転倒防止アイテムＳである植栽容器の下で、係る２つの転倒防止ユニット１の載置部２１である可撓性シート１０を２重にして重ねてその上に係る植栽容器を載置した構成の例である。
【０１２１】
係る構成とすることによって、係る植栽容器の下で２重になっている可撓性シート１０の重ね量を調整可能であり、係る転倒防止アイテムＳのサイズによって、係る重ね量を調整することによって、係る植栽容器から板棒材１１の距離を調整可能な構成の例であり、有用である。
尚、係る可撓性シート１０である載置部２１が、互いの可撓性シート１０である載置部２１と係止可能な係止部を備えていることによって、係る重複部のずれを予防することが可能であり有用であり、また更に、係る係止部を複数備えるか、または、面係止具を備えることによって、係る板棒材１１同士の距離を調整可能に係止することが可能である構成としても、係る転倒防止アイテムＳのサイズに合わせた構成とすることが可能であり、有用である。
【０１２２】
図７（ｊ）の構成の例は、図７（ｇ）の説明にもある様に、円形の可撓性シート１０を載置部２１とした転倒防止ユニット１の係る可撓性シート１０に、転倒防止アイテムＳとしての植栽容器を載置した構成の例である。
係る構成とすることによって、係る転倒防止アイテムＳの周囲から、複数の板棒材１１で係る転倒防止アイテムＳを支持可能とすることができ、より安定的に係る転倒防止アイテムＳを保持することができ、有用であると共に、係る可撓性シート１０と係る板棒材１１との係止部が、係る植栽容器が載置されている係る可撓性シート１０の載置部２１より高くなり、係る植栽容器が載置されている部分に水が溜まる様にして、周囲を囲う様に、つまりは、係る載置部２１が、係る植栽容器の水受けともなる構成とすることができ、係る植栽容器からの排水で周囲を汚す心配も減り、有用である。
【０１２３】
また、図７（ａ）から図７（ｅ）の構成の例に示される係る係止部や構成の例においても、係る係止部を高めの位置に設けることによって、あるいは、係る係止部の先に更に可撓性シート１０を長く余らせることによって、係る水が溜まる水受け部を更に深く、あるいは確実に水を溜めることが可能な構成とすることができ、有用である。
この様に、可撓性シート１０に複数設けた板棒材１１によって、複数方向から係る転倒防止アイテムＳを支持する構成とすることによって、より、係る転倒防止アイテムＳの安定性が増す構成とすることが可能であり、有用であり、また、係る可撓性シート１０の形状は、円でも良いし、４角形でも良いし、多角形でも良いし、三角形でも、その他異形でも良く、本願発明の特徴的な作用、効果が発揮される範囲において変更することが可能であり、限定しない。
【０１２４】
また、図面には示されていないが、係る可撓性シート１０である載置部２１が、係る可撓性シート１０である載置部２１が載置される台または支柱等に、係止可能なシート係止部を備えるかまたは面係止具であるかまたは面係止具を備えた構成として、係る係る載置部２１が可撓性シート１０である転倒防止ユニット１が、台などから落下等し難い構成としても、安全性の面で有用である。
【０１２５】
尚、係るシート係止部は、係る載置部２１に設けられた穴でも良いし、帯紐材２０でも良いし、ホックでも良いし、磁石でも良く、その他、本願発明の特徴的な作用、効果が発揮される範囲において変更することが可能であり、限定しない。
【０１２６】
図８の構成の例は、棚に係る転倒防止具２が備えられた構成の例であり、係る転倒防止アイテムＳが、本である構成の例である。
係る棚は、４段の棚である例であり、上３段のそれぞれの棚の段には、左右１つずつ転倒防止具２が設けられている構成の例であり、右側の転倒防止具２は、２本の長さの違う板棒材１１を備えた転倒防止具２が設けられており、上側の板棒材１１は、回動手首２９を備え、また、係る回動手首２９は、横回転手首３４であり、下側の板棒材１１が係る上側の板棒材１１よりも短い板棒材１１が備えられた構成の例であり、それぞれの板棒材１１は、別々の蝶番に設けられて、二つの回動軸を備えた構成である。
係る構成とすることによって、係る棚に収容された本の冊数によって、係る二本の板棒材１１が係る本の倒れを押さえる構成が変わることを、係る上３段の棚の転倒防止具２が示している。
【０１２７】
一番上の棚には、１１冊の本が収容された構成の例であり、係る右側の転倒防止具２は、上側の長い方の板棒材１１によって、係る本が支えられている構成の例であり、係る上側の長い方の板棒材１１は、回動手首２９が手首回動部３０によって曲折して突き当て面３２で係る本を突き当てて保持している構成の例であり、また、係る回動手首２９は、横回転手首３４でもあり、係る横回転手首３４は、係る突き当て面３２が手首回動部３０を跨ぐ、跨ぎ長さ１６が、上の方が長い構成の例である。
一方、２段面の棚の板棒材１１は、収容されている本の冊数が最上段の段よりも多い為、係る横回転手首３４が回転して、逆に下側が長い構成とした例であり、係る構成とすることによって、係る上側の板棒材１１の角度が大きく、係る本の上側の方を押さえる構成となっているので、係る横回転手首３４が下側を長くして、係る本の下側の方もしっかりと押さえることによって、係る本の転倒を抑制している構成の例である。
【０１２８】
また、係る２段目の転倒防止具２は、下側の短い側の板棒材１１も係る本を支える構成となっていることによって、係る本の冊数が増えて、係る上側の板棒材１１の角度が上に上がり、係る本の下側の押さえが利かなくなってきた構成において、係る本の下側も抑えることが可能な構成の例である。
本図の構成の例においては、係る板棒材１１は２本で係る本の右側を押さえている構成の例であるが、係る板棒材１１を、左側の板棒材１１の様に、振り出し竿式にスライドして長さが変更可能である構成とすることによって、係る収容する冊数に対応可能な構成としても、構成がよりシンプルになり、有用である。
【０１２９】
上から３段目の段の収容された本は、４冊であり、右側の板棒材１１と合わせて、左側の板棒材１１も合わせて、係る本を左右から挟持する様にして支えている構成の例である。
係る板棒材１１は、右側からのみ、例えば、振り出し竿的に長く伸びる板棒材１１の構成としても良いが、長く伸びすぎると扱い難くなったり、長くなる分板棒材１１の強度の面もより必要となってくることもあるので、必要に応じて、棚のサイズと板棒材１１の強度と扱い易さのバランスを考慮して、係る構成を変更すれば良いものである。
【０１３０】
上から４段目の構成の転倒防止具２の構成の例は、係る転倒防止具２が、可撓性シート１０に設けられた構成の例であり、係る可撓性シート１０を載置部２１として、係る可撓性シート１０の上に本が収容されている構成の例である。
この様に、係る板棒材１１を可撓性シート１０に係止した転倒防止ユニット１とする構成とすることによって、収容する本の冊数によって、係る板棒材１１の位置を変更することが可能な構成となり、収容する冊数が少ない時には、この様に係る棚の左側に、係る可撓性シート１０を曲折して収容した構成の例であり、係る冊数が増えてくると、係る板棒材１１の回動や長さ変更によっての調整と合わせて、係る載置部２１である可撓性シート１０の長さをずらして調整することによって、係る収容量の変更に対応可能とした構成の例であり、この様に、係る載置部２１を可撓性シート１０とすることによって、係る本の収容する冊数に合わせて載置部２１のサイズを変更することが可能であり、有用である。
【０１３１】
図９の構成の例は、係る転倒防止ユニット１が、台車である構成の例である。
図９（ａ）の構成の例の転倒防止ユニット１である台車は、横から見た図を正面図として、係る図の台車の左側、つまり台車でいうところの前側に人が引っ張る把手兼壁を備えており、係る図の台車の右側、つまり、台車でいうところの後ろ側に、転倒防止具２を備えた構成の例の荷物運搬用の台車である。
係る載置台が、係る立った壁である立ち壁を備えていることによって、係る転倒防止アイテムＳである荷物を係る壁に、板棒材１１で押し付けるか、または、係る立ち壁と合わせて係る転倒防止アイテムＳを係止して転倒を防止することが可能であるので、有用である。
尚、係る立ち壁は、立った棒である、立ち棒とする構成としても、同様に有用である。
係る台車には、転倒防止アイテムＳとして２つの荷物が２列に積載されており、係る荷物を、後ろ側に設けられた転倒防止具２が押さえている構成の例である。
【０１３２】
係る転倒防止具２の板棒材１１には、回動手首２９が設けられており、係る回動手首２９が係る荷物を押さえ、また、係る回動手首２９の位置が上にずれて外れてしまわないように、係る回動手首２９の下方向に、係る回動手首２９に係止された帯紐材２０が係る台車の載置部２１に設けられた載置係止部３５に設けられた構成の例である。
尚、図９（ａ）の構成の例の係る載置係止部３５は、特に係る転倒防止アイテムＳの下側に設けられた載置係止部３５であり、アイテム底下係止部２４である。
この様に、係る板棒材１１とアイテム底下係止部２４を帯紐材２０によって係止することによって、転倒防止アイテムＳを押さえている板棒材１１を下から引っ張ることによって安定して係る板棒材１１にて係る転倒防止アイテムＳを押さえることが可能な構成であり、また、係る引っ張る強さを強くすることによって、より強く係る転倒防止アイテムＳを押さえることもできるように、押さえ強さの調整も可能であり、また、係る転倒防止アイテムＳのすぐ下に、係るアイテム底下係止部２４が備えられていることによって、係る板棒材１１で係る転倒防止アイテムＳを押さえてすぐに係るアイテム底下係止部２４に係る帯紐材２０を掛けることが可能であり、作業性も良く、有用性の高い構成の例である。
【０１３３】
この様な台車に荷物を積んで運ぶ場合、特に一人で高く積んで運ぶ場合に、係る台車の後ろ側が荷崩れするのを防ぐ為に抑えるというのは、至難の業であり、荷物の移動作業の効率を悪くしたり、荷物が落下して破損させてしまうという問題点もあり、そのような課題を解決し得る構成であり、有用である。
つまり、台車に積載した荷物の荷崩れの心配が減るということは、係る台車のサイズを大きくして、荷物の積載量を大きくすることも可能となり、荷物の運搬作業の効率性をアップすることが可能な構成であり有用である。
また、本図の構成の例では、帯紐材２０がアイテム底下係止部２４と係止されている構成の例であるが、係る帯紐材２０で係止せず、係る板棒材１１の自重で抑える構成としても良く、意図的に係る板棒材１１の重量を、積み荷を押さえるに足りる重量を備えた構成としても良いし、係る板棒材１１が、一定の角度で保持可能な構成としても良く、係る構成とすることによって作業性が上がり、有用である。
【０１３４】
図９（ｂ）が、係る図９（ａ）の構成の上面図であり、係る台車の載置部２１の後ろ側の略真ん中に回動具１２を介して設けられた一本の板棒材１１に設けられた回動手首２９の突き当て面３２が、しっかりと係る転倒防止アイテムＳを後ろ側から押さえている状態を示しているものである。
尚、係るアイテム底下係止部２４の構成の例は、係る上面図からは係る板棒材１１に隠れて見えないので、係る構成の説明は、図９（ｄ）あるいは、図９（ｅ）で説明するものであり、係る説明図と同等のアイテム底下係止部２４の構成である。
【０１３５】
図９（ｃ）の転倒防止アイテムＳである台車は、係る台車の後ろ側に２本の板棒材１１が設けられた構成の例であり、係る板棒材１１を橋架するようにして設けられた橋架材１７が突き当て部３１として係る転倒防止アイテムＳである荷物を後ろから押さえて転倒を防止している構成の例である。
【０１３６】
図９（ｄ）が、図９（ｃ）の構成の例の上面図であり、係る２本の板棒材１１を橋架して設けられている橋架材１７が、係る荷物を後ろから押さえ、係る橋架材１７に設けられた帯紐材２０が、係る載置部２１に設けられたアイテム底下係止部２４に係止して設けられている構成の例である。
係るアイテム底下係止部２４は、係る載置部２１の台車でいう前から後ろにかけて設けられている棒材、あるいはワイヤーあるいは紐材の例であり、係るアイテム底下係止部２４が、図９（ｅ）に示される様に、係る載置部２１の一段低いところに設けられていることによって、係る載置部２１に荷物が載せられても、係るアイテム底下係止部２４が、係る荷物と干渉しない構成となっており、また、係る荷物が増えても、係る荷物の下にあるアイテム底下係止部２４に係る板棒材１１を帯紐材２０を介して設けることが可能な構成であり、有用であり、アイテム底下係止部２４は、係る転倒防止アイテムＳの底の載置部２１に設けられた係止部であり、この様に前から後ろまでに渡って設ける構成の他、載置部２１のところどころに、断続的に設ける構成としても良いし、Ｄカンの様な部材を係る載置部に設けても良く、その他、本願発明の特徴的な作用、効果が発揮される範囲において変更することが可能であり、限定しない。
【０１３７】
図９（ｅ）の構成が、図９（ｄ）の台車の後ろ側からの台車の断面図の説明図であり、橋架材１７に巻いて設けられた帯紐材２０に設けられたフックが、係る載置部２１の転倒防止アイテムＳの下に設けられたアイテム底下係止部２４に引掛けられて係止した構成の例である。
係るアイテム底下係止部２４に引掛けられた帯紐材２０が、係る橋架材１７を下に引っ張ることによって、係る板棒材１１と橋架材１７が上に上がってしまわない構成であることを示しており、有用である。
【０１３８】
図９（ｆ）の構成は、図９（ｅ）の構成の帯紐材２０が、可撓性シート１０である構成の例であり、係る可撓性シート１０が、橋架材１７に設けられていることによって、係る橋架材１７の下の空間を覆い、積載する荷物が小さい場合でも、係る橋架材１７の下の空間から崩れず、保持することが可能な構成であり、有用である。
係る可撓性シート１０が設けられているのは、橋架材１７であるが、係る可撓性シート１０は、板棒材１１に設けても良いし、図９（ａ）の構成の例の係る板棒材１１が一本の構成の例の帯紐材２０の代わりに、可撓性シート１０を備える構成としても、同様に有用である。
また、係る板棒材１１、または橋架材１７に、係る可撓性シート１０や帯紐材２０を巻くことが可能な巻き取り具１８を備えた構成としても良く、また、係る巻き取り具１８は、自動で巻く構成としても作業性の効率が上がり、有用である。
【０１３９】
図９（ｇ）の構成の例は、図９（ｃ）の構成の台車において、帯紐材２０がアイテム底下係止部２４に係止された構成において、係るアイテム底下係止部２４の代わりに、荷下板３６が備えられ、係る荷下板３６は、係る帯紐材２０または図９（ｆ）に示される様な可撓性シート１０に係止され、係る荷下板３６は、転倒防止アイテムＳの下に敷かれることによって、係る転倒防止アイテムＳの重量によって、係る帯紐材２０または可撓性シート１０によって連結された板棒材１１あるいは橋架材１７の位置が保持される補助となる構成の例であり、係る構成とすることによって、アイテム底下係止部２４を備えない台車においても、係るアイテム底下係止部２４を備えた台車とほぼ同様の効果を備えることが可能となり、有用である。
【０１４０】
図９（ｈ）の構成の例は、図９（ｃ）の構成の台車の２本の板棒材１１の間に、転倒防止アイテムＳが積載された構成の例であり、係る台車によれば、例えばこの様に、橋架材１７の前側に積載した転倒防止アイテムＳと係る橋架材１７の後ろに積載した転倒防止アイテムＳが積載されており、係る橋架材１７の後ろの大きい転倒防止アイテムＳを係る台車から載せたり降ろしたりする際に、係る橋架材１７が係る橋架材１７の前に積載されている転倒防止アイテムＳを押さえているので、係る転倒防止アイテムＳの荷崩れを心配することなく、係る台車からの荷物の積み下ろしをすることが可能であり、有用である。
【０１４１】
図１０の構成の例は、図９（ｃ）の構成の例の様に、係る板棒材１１が２本の構成の例であり、図１０（ａ）の係る台車の横からの図を示す正面図の構成の例に示される様に、帯紐材２０が、板棒材１１に設けられた帯紐係止部２２に設けられ、係る帯紐材２０が、台車の載置部２１の前方に設けられた載置係止部３５に設けられた構成の例である。
係る構成とすることによって、図１０（ｅ）や図１０（ｆ）の様に、係る台車の後ろ側を越える位まで荷物である転倒防止アイテムＳが積載されても、係る板棒材１１を一定の角度に保持可能であり、有用である。
【０１４２】
図１０（ｂ）が図１０（ａ）の構成の例の上面図である。
【０１４３】
図１０（ｃ）が図１０（ａ）の構成の例の荷物の数が１つから、２つ積載された状態を示しており、図１０（ｄ）が５つの荷物、図１０（ｅ）が７つの荷物を積載と、順に積載される荷物の数が増えていくに連れて、係る板棒材１１が立った状態で係る荷物を押さえることを示しており、また、図１０（ｅ）では、係る板棒材１１が、後ろ側に倒れる状態で係る荷物を支えることが可能な構成の例を示している。
また、図１０（ｆ）の構成の例では、係る板棒材１１が更に後ろ側に倒れることによって、係る板棒材１１と係る板棒材１１に橋架された橋架材１７に、板材を渡して、係る板材の上に荷物を載置することが可能な構成を示しており、係る台車の積載容量を大きく増加することが可能な構成であり、係る台車の運搬効率を上げることが可能な構成であり、有用である。
特に、倉庫や運送の作業者の人員不足である昨今においては、この様に運搬効率と作業効率をアップさせるような台車は、運送のコストダウンと労力の低減に貢献することが可能な仕様であり、有用である。
また、係る板棒材１１は、完全に水平に倒れず、やや、傾斜を備えた状態に保持されている構成であることによって、荷崩れを抑制している構成の例であり、有用である。
尚、係る板棒材１１が開く角度は、水平まで開いても良く、限定しない。
【０１４４】
図１１の構成の例は、図９（ｃ）の構成の例における台車において、帯紐材２０やアイテム底下係止部２４を備えない構成の例であり、係る帯紐材２０の代わりに、板材が設けられた構成の例である。
【０１４５】
図１１（ａ）の構成の例の転倒防止ユニット１においては、３列に複数段に積載された荷物を、後ろ側から板棒材１１と係る板棒材１１に橋架された橋架材１７によって押さえている構成の例であり、係る荷物と橋架材１７の間に、板材が挟まれている構成の例である。
係る板材を設けることによって、この様に小さな荷物が多数積み上げられているような構成の台車においても、荷崩れを防ぐことが可能であり有用である。
図１１（ａ）の構成の例に示される板材は、抑え掛板３７であり、係る抑え掛板３７は、係る板棒材１１や橋架材１７と係る板材を、引掛けることが可能な凸部を備えている構成の板材である。
【０１４６】
図１１（ａ）の構成の例の係る抑え掛板３７は、係る板棒材１１あるいは橋架材１７に吊設可能な凸部である抑え掛歯３８を備えて、また、吊設可能に高さのサイズが小さい構成の抑え掛板３７である構成の例である。
係る抑え掛板３７に設けられた凸部である抑え掛歯３８は、下駄の歯状の板が１つ設けられており、係る抑え掛歯３８が、係る橋架材１７に掛けられて、係る抑え掛板３７が係る荷物を後ろ側から押さえている構成の例であり、係る下駄の歯状の抑え掛歯３８が、端に設けられていないことによって、係る凸部で係る橋架材１７に吊設された状態で、しっかりと荷物に抑え掛板３７の面が密着可能に設けられることが可能であり、有用である。
【０１４７】
また、係る抑え掛板３７の中央からずれた位置に係る抑え掛歯３８が設けられていることによって、図１１（ａ）と図１１（ｂ）の構成の違いの様に、係る抑え掛板３７の方向を変えて設けることによって、係る転倒防止アイテムＳである荷物の高さが高くなっても、係る抑え掛板３７のサイズを大きくしなくても、上の方の荷物まで、しっかりと押さえることが可能な構成であり、係る橋架材１７あるいは板棒材１１に吊設可能な構成とすることによって、係る板のサイズをコンパクトにでき、作業者も扱いやすい構成であり、有用である。
また、係る抑え掛板３７が係る板棒材１１または橋架材１７に設けられることによって、係る抑え掛板３７の重量によっても、係る板棒材１１が跳ね上がり難くなる構成となり有用である。
また、係る抑え掛板３７に設けられている抑え掛歯３８が、１つであることによって、係る抑え掛板３７を上下どちら側からも、係る抑え掛歯３８に係る橋架材１７が突き当たる様に設置することが可能な構成であり、作業性が良く、有用である。
【０１４８】
図１１（ｃ）は、係る荷物が一列のみである構成の例であり、それによって、係る板棒材１１は係る転倒防止アイテムＳである荷物の下の方しか押さえられない構成となっており、しかし、係る抑え掛板３７を係る橋架材１７と荷物の間に設けることによって、また、係る抑え掛板３７の抑え掛歯３８に対して長い側を上側に配置することによって、係る荷物の上の方まで抑えることが可能な構成となり有用であることを示している。
【０１４９】
図１１（ｄ）は、係る板棒材１１を前側に倒してしまった状態を示しており、係る橋架材１７の上に、係る抑え掛板３７を抑え掛歯３８を下側にして載置することによって、係る抑え掛歯３８が係る抑え掛板３７の足となって、係る抑え掛板３７の上にも荷物を載置することが可能な構成の例である。
つまり、係る板棒材１１を倒してしまうと、凸凹して、係る上には荷物を載置し難い状態となるが、係る抑え掛板３７を係る板棒材１１と橋架材１７の上に敷くことによって、平面が形成され、その上に荷物を載置することが可能となり、有用である。
【０１５０】
図１１（ｅ）の構成は、図１０（ｆ）の様に係る板棒材１１が後方に開いた構成の例であり、係る抑え掛板３７が、係る橋架材１７と載置部２１の間に設けられていることによって、係る抑え掛板３７の上に荷物を積載可能となっている構成の例である。
尚、係る板棒材１１は、一定の角度を保持可能な構成の回動具１２を備えた構成としても良いし、図１０の構成の例の様に帯紐材２０によって、係る角度を保持可能な構成としても良く、限定しない。
【０１５１】
図１１（ｆ）の構成の例は、図１１（ｅ）の構成における転倒防止ユニット１である台車の板棒材１１または橋架材１７が、車輪１９を備えた構成の例であり、図１１（ｆ）の構成の例の様に、係る板棒材１１が後ろに開いた構成において、係る車輪１９が、係る板棒材１１の支えとなり、係る台車の積載量を増加させる構成の例であり、有用である。
【０１５２】
図１２（ａ）の転倒防止ユニット１に設けられた抑え掛板３７の構成の例は、係る抑え掛板３７に複数の抑え掛歯３８が設けられた構成の例であり、係る抑え掛板３７には、９つの抑え掛歯３８が設けられた構成の例であり、係る板棒材１１が、上から３つ目の抑え掛歯３８に引掛けるようにして突き当てられることによって、係る抑え掛板３７を後ろから支持して、係る転倒防止アイテムＳである荷物の転倒や崩れを押さえている構成の例である。
尚、係る抑え掛板３７は、載置部２１に載置されて、係る橋架材１７に設けられている構成の例であり、また、係る板棒材１１は、スライド可能に長さが変更可能な構成であり、係る荷物量に合わせて、係る板棒材１１の長さを適切に変更することが可能な構成であり有用である。
また、係る突き当て部３１が、細くなっていることによって、より、係る抑え掛歯３８の下側に入り込むようにして食い込み、ずれて外れ難い構成となっている例である。
【０１５３】
図１２（ｂ）が、図１２（ａ）の構成の例の上面図である。
【０１５４】
図１３の構成の例は、図２の説明にもある様な、回動手首２９が、橋架材１７を介して板棒材１１に設けられている構成の例である。
図１３（ａ）の構成の例は、橋架材１７に、回動手首２９として、挿通部を備えた板材が、係る挿通部に係る橋架材１７を挿通させて回動可能に設けられている構成の例である。
この様に、橋架材１７を介して回動手首２９を板棒材１１に設ける構成とすることによって、図１１の説明にあるような抑え掛板３７と同様な有用性が備えられると共に、作業的には、係る抑え掛板３７を着脱する手間が掛からず、また、着脱する際に、抑え掛板３７を着脱する際に、抑え掛板３７が外れて落下したり、転倒防止アイテムＳである荷物を押さえながらの係る抑え掛板３７の着脱もしなければならないという作業の難しさも解消され、有用な構成である。
一方、抑え掛板３７を設ける構成は、よりシンプルな構成であり、必要でない時は外して置いたり、荷物の種類に合わせて、別の抑え掛板３７に変更したりと、自由度が高いと有用性があり、必要に応じて、係る構成は選択すべきものである。
【０１５５】
図１３（ｂ）の構成の例は、図１３（ａ）の構成の例における回動手首２９が、スライド構造を備えて、長さを調節することが可能であり、跨ぎ長さ１６を変更可能である構成の例である。
この様に、跨ぎ長さ１６を変更可能な構成とすることによって、積載されている荷物の高さに合わせて、係る突き当て面３２の長さを変更可能であり、荷物の転倒を抑止可能とするものである。
また、係るスライド方向は、上側だけでなく、下側、あるいは、左右側にもスライド可能な構成としても、それぞれの方向の荷物の崩れを抑止可能で、有用である。
【０１５６】
図１３（ｃ）の構成の例は、係る抑え掛板３７が、橋架材１７を挟んで、二重構造である構成の例である。
この様に、回動部である橋架材１７を挟んで二重構造とすることによって、係る橋架材１７が二つの突き当て面３２を備えることができる構成となる。
係る二つの突き当て面３２を、それぞれ、違う材質として、例えば、一面側は、ソフトな面、もう一面はマグネットシートを備えた面とする等、積載する荷物に合わせて変更可能としても良いし、図１３（ｃ）の構成の例の様に、係る回動部を境に、上下で長さを違う構成として、係る板棒材１１が小さい角度で、係る回動手首２９を、低い位置で使う場合や、高い位置で使う場合や、高く積まれた荷物に対して使う場合によって、係る上下を回動して変更して使い分ける構成としても良い。
図１３（ｄ）の構成の例が、係る図１３（ｃ）の回動手首２９を上下逆に回動して設けた構成の例である。
尚、係る回動手首２９に、帯紐材２０を備えて、係る帯紐材２０を、図９の例にもある様に、アイテム底下係止部２４や、帯紐係止部２２や、荷下板３６に係止して、係る橋架材１７の位置が上がらない構成としても有用であるが、係る回動手首２９としての板材と板棒材１１の自重や、滑り止め構造でも、係る板棒材１１がずり上がることはかなり抑制可能であるので、作業性との兼ね合いで、必要に応じて選択可能であるものである。
また、係る構成の例は、転倒防止ユニット１として、転倒防止具２と載置部２１がセットとなった構成の例であるが、係る構成において、載置部２１の無い、転倒防止具２のみの構成で、クランプなどの台係止部１３を備えた転倒防止具２として、普通の台車に係る転倒防止具を、自由に設けることが可能な構成としても、必要に応じて、様々なサイズや構成の台車に設けることが可能で、自由度が高く、有用である。
【０１５７】
図１４の構成の例は、係る転倒防止具２が、係る台車の前後両方に設けられている構成の例である。
係る構成とすることによって、例えば、図１４（ｃ）の構成の例の様に、係る前後の板棒材１１が前後に開き、荷物の積載可能な載置部２１をより大きく取れる構成であり、有用である。
【０１５８】
図１４（ａ）の構成の例は、係る台車に積載された荷物が係る台車の前後に設けられた転倒防止具２によって挟まれて保持されている構成の例であり、係る台車の前後の転倒防止具２は、それぞれ、橋架材１７で橋架されて係る橋架材１７と板棒材１１で合わせて係る荷物を挟み込み、係る前後に向かい合って設けられた板棒材１１同士が、帯紐材２０によって互いに係止されることによって、係る前後に向かい合った板棒材１１の距離を保持可能として、係る転倒防止アイテムＳである荷物の倒れを防止しながら保持している構成の例である。
【０１５９】
図１４（ｂ）の構成の例は、図１４（ａ）の構成の例における係る台車の前後に設けられた板棒材１１がそれぞれ、帯紐材２０によって、載置部２１にて係止された構成の例である。
【０１６０】
図１４（ｃ）の構成の例は、係る台車の前後に設けられた板棒材１１がそれぞれ、前後に開き、それぞれの板棒材１１と橋架材１７に設けられた板の上に、図１１（ｅ）の構成の例の板棒材１１の構成の様に、荷物が載置された構成の例である。
係る構成とすることによって、更に多くの荷物を積載して運搬可能な構成となり、有用である。
【０１６１】
図１５の構成の例は、板棒材１１を載置部２１に対して回動可能に設けている回動具１２が斜めに設けられている構成の例である。
図１５（ａ）の構成の例の転倒防止ユニット１である台車は、係る台車を上から見た上面図であり、係る板棒材１１が交差する様にして係る台車の後方に、互いに斜め方向を向いた回動具１２が備えられている構成の例である。
係る構成とすることによって、例えば、図１５（ｂ）の構成の例の様に、係る互いの板棒材１１を、係る交差部分で、例えば帯紐材２０で巻いて係止するだけで、係る板棒材１１の角度を一定の高さに保持することが可能であり、あるいは、図１５（ｄ）の構成の様に、互いの板棒材１１を帯紐材２０で橋架することによっても、係る板棒材１１がそれ以上上がることを抑制することが可能であるので、係る転倒防止アイテムＳである荷物を後ろから安定して押さえておくことが可能な構成となり、有用である。
【０１６２】
図１５（ｂ）の構成の例においては、図１５（ａ）の構成の例の載置部２１に、２つの荷物が載置されており、係る荷物の量に合わせて持ち上げられた板棒材１１が、交差した部分で帯紐材２０によって互いに巻いて係止されることによって、係る板棒材１１の角度が保持され、係る荷物を押さえて保持していることが可能である構成の例である。
【０１６３】
図１５（ｃ）の構成の例は、係る荷物が４つ載置されている構成の例であり、係る荷物の後ろに当接されている２本の板棒材１１が、互いに帯紐材２０によって係止されている構成の例であり、係る２本の板棒材１１が帯紐材２０を張って係止することによって、係る板棒材１１はそれ以上は上がらず、係る荷物を安定して後ろから保持することが可能な構成の例である。
【０１６４】
図１５（ｄ）が、図１５（ｃ）の構成の例の台車を横から見た図である。
この様に、係る載置部２１に積載される荷物が増えてくると、係る板棒材１１の角度が高くなり、突き当て部３１の高さも高くなる為、より安定して係る荷物を押さえる為には、図１０や図１１に示されるような抑え掛板３７を備える構成としても良い。
【０１６５】
図１５（ｅ）の構成の例は、係る積載している荷物に、段差が出た構成の例であり、この様に、積載した荷物の左右において、段差が出たような構成においても、それぞれの板棒材１１が係る段差に合わせて係る荷物を後ろから押さえることが可能な構成であるので、有用である。
また、係る板棒材１１を、この様に互いに帯紐材２０によって係止することによって、係る板棒材１１が上がらず、また、係る帯紐材２０が、係る荷物を押さえる効果もあるので、有用である。
【０１６６】
図１６の構成の例は、係る板棒材１１を載置部２１に回動可能に設ける構成である回動具１２の回動軸２８が、水平より傾いて設けられている構成の例である。
図１６（ａ）の構成の例の転倒防止ユニット１である台車を構成する２つの板棒材１１は、係る台車の後ろ側に設けられた回動具１２を介して係る載置部２１に設けられて、係る台車の側辺に沿って倒れた状態で配置している構成の例である。
係る回動具１２の回動軸２８は、水平に対して内側に傾いて設けられている為、係る板棒材１１が上に立ち上がるにつれて、係る板棒材１１は、係る載置部２１の上の方に斜めに立ち上がってくる構成となっている。
【０１６７】
図１６（ｂ）の構成の例が、係る転倒防止アイテムＳである荷物が３列に載置部２１に載置されている構成の例の上面図であり、係る板棒材１１が交差している構成の例である。
係る交差している部分である交差部で帯紐材２０等で係る板棒材１１を互いに係止することによって、係る板棒材１１はその角度で保持され、係る荷物をよりしっかりと保持可能となる構成であり、有用である。
係る板棒材１１は、荷物が多くなってくるほど、立ち上がり角度が大きくなっていき、突き当て部３１の高さも高くなってくる構成であり、通常は、係る突き当て部３１の高さが一定以上に高くなってくると、転倒防止ユニット１を押さえる力は弱くなってくるが、係る構成によれば、係る交差部で互いに係止することによって、容易に係る板棒材１１の立ち上がり角度を保持することも可能な構成であり、また、係る回動具１２の回動軸２８が、斜めであることによって、係る板棒材１１の高さ方向への上がり方が、係る回動軸２８が水平に設けられている構成と比較すると、緩やかになり、同じ長さの板棒材１１であっても、同じ量の荷物の量に対しては、係る突き当て部３１の高さは、係る回動軸２８が斜めに設けられている本構成の方が、低い構成であり、係る荷物の保持力や保持する高さが高くなり難く、よりしっかりと荷物を保持可能な面があり、有用である。
尚、係る交差部での係る板棒材１１の係止は、必要に応じて係止すれば良く、係る板棒材１１の自重でも保持可能とすることできるし、係る回動具１２自体が、一定の角度で保持可能である構成の回動具１２としても良い。
また、抑え掛板３７を備えた構成としても良い。
【０１６８】
図１６（ｃ）が、図１６（ｂ）の荷物が２列である構成の例の、係る台車の後ろ側から見た図である。
【０１６９】
図１６（ｄ）が、図１６（ｃ）の構成の例の係る台車に荷物が２つ積載した構成の例であり、係る荷物の量が少ない分係る突き当て部３１の高さが低くなり、図１６（ｃ）の板棒材１１が交差しているのに対して、係る板棒材１１が、ハの字型に開いた状態の構成の例である。
【０１７０】
図１６（ｅ）の構成の例は、係る板棒材１１を上げていない状態において、係る台車の全体を覆うような大きな荷物を係る台車に積載した状態の例であり、係る板棒材１１が、完全に倒された状態において、係る板棒材１１が係る台車の両脇に沿う様にして配置可能であるので、係る板棒材１１の間の載置部２１を一段上げる構成とすることによって、この様に大きな荷物を積載することが可能な構成であり、有用である。
つまり、同じように、係る板棒材１１が交差する構成である図１５の構成においては、係る板棒材１１を全て倒した状態においては、図１５（ａ）の構成の例の様に、係る板棒材１１が載置部２１の上で交差した状態で配置される構成であるので、図１６（ａ）の構成の例の様に、係る板棒材１１を係る台車の脇に配置可能な本構成の方が、有用である点である。
一方、図１５の構成においては、例えば、図１５（ｃ）の構成の例の様に、係る板棒材１１がハの字に開いた状態で、係る板棒材１１を互いに帯紐材２０で橋架するだけで、係る板棒材１１がそれ以上上がらず、係る板棒材１１の角度を保持可能であるという等の有用性があり、どちらの構成の有用性を重視して採用するかは、目的と必要に応じて選択可能であるものである。
【０１７１】
図１６（ｆ）の構成の例は、係る回動具１２の回動軸２８が斜めである構成の回動具１２が、４つ設けられている構成の例である。
図１６（ｆ）の構成の係る台車には、４つの板棒材１１が一番倒された状態で配置されており、台車の後ろ側に、図１６（ａ）の構成の例と同等の板棒材１１が係る台車の脇に沿って設けられており、係る台車の前側には、係る後ろ側の板棒材１１より、やや内側の載置部２１の上に斜めにハの字状に、板棒材１１が設けられた構成の例である。
【０１７２】
図１６（ｇ）の構成の例は、係る台車に、細く、高い転倒防止アイテムＳが載置された構成の例であり、係る転倒防止アイテムＳを、係る板棒材１１をそれぞれ交差させることによって、係る構成部で挟み込むようにして押さえて保持している構成の例であり、係る構成とすることによって、かなり強固に係る転倒防止アイテムＳを保持可能な構成とすることができるので、有用である。
尚、係る板棒材１１は、この様に、交差して、係る転倒防止アイテムＳを挟み込むようにして保持可能な構成としても良いし、図１６（ｂ）の様に、突き当て部３１で突き当てることによって、転倒防止アイテムＳを保持する構成としても良いし、二本の板棒材１１だけ交差させて転倒防止アイテムＳを挟み込み、他の二本は転倒防止アイテムＳに突き当てて保持したり、帯紐材２０で橋架させて保持する構成としても良く、転倒防止アイテムＳに合わせて転倒を防止する保持方法の自由度が高く、有用である。
係る構成は、転倒防止ユニット１として、載置部２１に回動軸２８を斜めに回動具１２を備えた構成の例であるが、転倒防止具２として、係る転倒防止具２に備えられた台係止部１３が、係る転倒防止具２を載置部２１に設けた際に、係る回動軸２８が斜めになる構成である転倒防止具２である構成としても良い。
【０１７３】
図１７の構成の例は、係る回動具１２の回動軸２８が鉛直方向に設けられている構成の例である。
図１７(ａ)の構成の例は、転倒防止アイテムＳである荷物が載せられていない、転倒防止ユニット１の構成の例であり、鉛直方向に設けられた回動軸２８を備えた板棒材１１が、略水平に２本設けられており、係る二本の板棒材１１に橋架する様にして、略鉛直方向に橋架材１７が設けられている構成の例である。
【０１７４】
図１７（ｂ）の構成の例が、係る台車に３つの荷物が積載され、係る荷物を、係る橋架材１７と板棒材１１が回動して係る荷物に当接されて、後ろから押さえている構成の例である。  
但し、係る板棒材１１を載置部２１に略鉛直方向の回動軸２８にて備えた場合、図１から図１６の構成の例の様に、係る板棒材１１に対して、自重でかかる板棒材１１を支えることができない為、係る板棒材１１の角度を保持する為のブレーキが、必須となるものであり、係るブレーキは、係る板棒材１１を支持している回動具１２に備えて係る板棒材の回動を制御可能である構成としても良いし、係る板棒材１１と載置部２１との間に、ブレーキを備える構成としても良く、例えば、図１７（ｃ）の構成の例の様に、係る板棒材１１に設けた車輪１９に、ブレーキを備える構成としても良いし、係る板棒材１１と載置部２１との間に、三角形のゴム材を挟持させても良く、係るブレーキ構造は、その他、本願発明の特徴的な効果が発揮される範囲において変更することが可能であり、限定しない。
【０１７５】
図１７（ｃ）の構成の例は、図１７（ｂ）の説明にあるような車輪を係る板棒材１１に設けた構成の例である。
係る水平方向に設けられた板棒材１１は、片持ちの為、この様に車輪１９を備える構成とすることによって、係る板棒材１１を支える補強ともなり、また、ブレーキを備える構成とすることによって、係る転倒防止アイテムＳを後ろから押さえる構成とすることが可能であり、有用である。
【０１７６】
図１７（ｄ）の構成の例は、図１７(ｂ)の構成の例と同等の構成の上面図である。
【０１７７】
図１７（ｅ）の構成の例は、係る橋架材１７に、回動手首２９を備えた構成であり、係る荷物のより広い面を後ろから支えることが可能な構成となり、より、小さい荷物に対しても、押さえることが可能であり、有用である。
係る橋架材１７には、図１３（ａ）の構成の例に示される様な回動手首２９が設けられており、係る回動手首２９が、荷物の量に合わせて回動する係る板棒材１１の角度と合わせて、係る荷物の面に合わせて、回動可能な構成であり、有用である。
【０１７８】
尚、以下、一連の本図の実施の形態において、物品係止部１５は、係る転倒防止アイテムＳと板棒材１１を係止して、転倒防止アイテムＳの転倒を抑止可能に板棒材１１に設けられた係止部であり、面ファスナーでも良いし、マグネットでも良いし、マグネットシートでも良いし、自己吸着シートでも良いし、クランプでも、フックでも、ホックでも、帯紐材２０でも、吸盤でも、嵌め合いでも良く、その他、本願発明の特徴的な作用、効果が発揮される範囲において変更することが可能であり、限定しない。
【０１７９】
また、帯紐係止具２３は、板棒材１１に設けられた帯紐材２０から成る物品係止部１５であり、転倒防止アイテムＳに巻いて転倒防止アイテムＳの転倒を抑止するものであり、ベルトでも良いし、面ファスナーでも、ワイヤーでも、紐でも、ロープでも、マグネットシートでも、その他、帯や紐状の帯紐材２０でも良く、その他、本願発明の特徴的な作用、効果が発揮される範囲において変更することが可能であり、限定しない。
【０１８０】
また、帯紐係止部２２は、係る帯紐係止具２３あるいは帯紐材２０を係止する構造部であり、例えばベルト通しや紐通しの様に、係る帯紐係止具２３や帯紐材２０を挿通する構成でも良いし、フック状でも、リベットでも、板による挟持でも、ネジ１４でも、接着でも、融着でも、粘着でも、ステープラーでも良く、その他、本願発明の特徴的な作用、効果が発揮される範囲において変更することが可能であり、限定しない。
【０１８１】
また、自己吸着シートは、被着体に対して、素材自体が吸着し、粘着剤や糊を使用せずに貼り付けが可能なシートであり、微細な吸盤による吸着、ジェル状による吸着でも良く、その他本願発明の特徴的な作用、効果が発揮される範囲において変更することが可能であり、限定しない。
【０１８２】
また、可撓性シート１０の素材は、可とう性を有したシート状で、テント生地やメッシュ生地等の布状部材、他各種繊維素材、ベルト、皮革、ビニール、各種ゴムや各種樹脂シート製、綿、麻等の天然素材、紙製、可撓性の面係止具、金属メッシュ等金属、ガラス繊維、また、色も透明、蛍光、光っても良く、その他、必要に応じた強度、機能を有し、本発明と同一の作用効果を発揮できる範囲内でその素材を限定しない。
【０１８３】
また板棒材１１の形状は、台形でも良いし、方形でも良いし、3角形でも、その他多角形でも、星形でも、ハート形でもよく、車輪１９を設けても、足を設けても良く、その他、本願発明の特徴的な効果が発揮される範囲において変更することが可能であり、限定しない。
また載置部２１の形状は、円形でも良いし、方形でも良いし、3角形でも、その他多角形でも、星形でも、ハート形でもよく、車輪１９を設けても、足を設けても良く、水に浮く構造としても良く、その他、本願発明の特徴的な効果が発揮される範囲において変更することが可能であり、限定しない。
【０１８４】
また、面係止具は、面で係止可能である構成の係止部材であり、自己吸着シートでも良いし、マグネットシートでも、面ファスナーでも、マグネットでもよく、その他、本願発明の特徴的な効果が発揮される範囲において変更することが可能であり、限定しない。
【０１８５】
また、突き当て部３１は、ゴムでも、スポンジ等の発泡樹脂でも、シリコンラバーでも、面ファスナーでも、マグネットでも、マグネットシートでも、吸盤でも、ポリプロピレンやポリアミド等のプラスチックでも、木でも、紙でも、鉄やアルミニウム等の金属でも、竹でも良く、またその形状も、球でも、半球でも、板状でも、棒状でも、凹形状でも、凸形状でも、面でも、回動手首２９でも良く、その他、本願発明の特徴的な効果が発揮される範囲において変更することが可能であり、限定しない。
【０１８６】
また、回動手首２９の手首回動部３０は、一定方向の回動だけでなく、例えば球状の連結具にて係る板棒材１１と連結されることによって多方向に回動可能な構成としても良く、多方向に回動可能な構成とすることによって、例えば転倒防止アイテムＳに対して、板棒材１１が左右方向に斜め面にて突き当たる場合においても、係る回動手首２９が係る面に合わせて回動可能であるので、より転倒を防止する効果が高くなり、有用であり、また、図１５や図１６の構成の例の様に、回動具１２や、回動具１２の回動軸２８が斜めである構成の例においては、係る回動手首２９の手首回動部３０が、多方向に回動可能な構成は、有用である。
【０１８７】
また、回動可能構造は、板棒材１１を回動可能に設けることが可能な構造であり、蝶番や、穴に棒を挿入して回動可能な構成としても良いし、可撓性シートに板棒材１１を係止して回動可能な構成としても良く、その他、本願発明の特徴的な作用、効果が発揮される範囲において変更することが可能であり、限定しない。
【０１８８】
また、各図における本願発明の各形態は、様々な形状であり、また、ある程度重量もあり、割れやすく、高いところに載置する機会も多い植栽容器に最適な転倒防止ユニットあるいは転倒防止具であり、植栽容器専用の植栽容器転倒防止台あるいは植栽容器転倒防止具としても良い。
【０１８９】
また、各図において、転倒防止具２、転倒防止ユニット１について説明している内容において、あくまでも、説明の一例としてそれぞれの、転倒防止具２、転倒防止ユニット１の構成の例として説明しているにすぎず、それぞれの構成において、転倒防止具２、転倒防止ユニット１の構成は互いに変更して応用可能である。
【産業上の利用可能性】
【０１９０】
本願発明は、様々な物品の転倒防止に対応可能であることから、植栽容器等の様々な物品の保管、載置、陳列、装飾品の転倒防止から、台車による運搬時の転倒防止まで、様々な物品の転倒防止に寄与可能である魅力的な発明品であり、産業上利用可能性は極めて高いと思慮されるものである。
【符号の説明】
【０１９１】
１  転倒防止ユニット
２  転倒防止具
10  可撓性シート
１１  板棒材
１２  回動具
１３  台係止部
１４  ネジ
１５  物品係止部
１６  跨ぎ長さ
１７  橋架材
１８  巻き取り具
１９  車輪
２０  帯紐材
２１  載置部
２２  帯紐係止部
２３  帯紐係止具
２４  アイテム底下係止部
２６  根
２７  植物
２８  回動軸
２９  回動手首
３０  手首回動部
３１  突き当て部
３２  突き当て面
３３  外面凸部
３４  横回転手首
３５  載置係止部
３６  荷下板
３７  抑え掛板
３８  抑え掛歯
３９  回転軸
S    転倒防止アイテム
【要約】
【課題】様々な物品の転倒を防止可能とする自由度の高い転倒防止部材を提供する。
【解決手段】転倒防止具（２）を構成する板棒材（１１）が、回動可能構造を備え、前記回動可能構造は載置部（２１）と係止可能な台係止部（１３）を備え、前記板棒材（１１）は、転倒防止アイテム（Ｓ）または地面と突き当て可能である突き当て部（３１）を備えるか、または転倒防止アイテム（Ｓ）と着脱可能に係止可能な物品係止部（１５）を備え、前記載置部（２１）は、前記転倒防止アイテム（Ｓ）を載置する台または板または可撓性シート（１０）である構成とした。
【選択図】図１【図１】
0006808874.tif 000002
【図２】
0006808874.tif 000003
【図３】
0006808874.tif 000004
【図４】
0006808874.tif 000005
【図５】
0006808874.tif 000006
【図６】
0006808874.tif 000007
【図７】
0006808874.tif 000008
【図８】
0006808874.tif 000009
【図９】
0006808874.tif 000010
【図１０】
0006808874.tif 000011
【図１１】
0006808874.tif 000012
【図１２】
0006808874.tif 000013
【図１３】
0006808874.tif 000014
【図１４】
0006808874.tif 000015
【図１５】
0006808874.tif 000016
【図１６】
0006808874.tif 000017
【図１７】
0006808874.tif 000018